(57)【要約】  移動基地局の接続形態に応じて、移動端末のローカルネットワークへの適切な通信経路を確立させること。本発明の移動基地局装置は、自装置が収容する移動端末からの接続要求を受ける基地局処理部と、前記移動端末からの接続要求に基づき、自装置が接続するバックハウルメディアに応じて、前記移動端末のローカルネットワークへの接続をローカルＩＰ接続あるいはリモートＩＰ接続のいずれか一方に切り替える切替処理部と、を備える。
2012032783.tif 000002
【特許請求の範囲】
【請求項１】
自装置が収容する移動端末からの接続要求を受ける基地局処理部と、
前記移動端末からの接続要求に基づき、自装置が接続するバックハウルメディアに応じて、前記移動端末のローカルネットワークへの接続をローカルＩＰ接続又はリモートＩＰ接続のいずれか一方に切り替える、切替処理部と、
を備える移動基地局装置。
【請求項２】
請求項１に記載の移動基地局装置であって、
前記ローカルネットワークとの通信を制御する第１通信部と、
マクロ基地局との通信を制御する第２通信部と、
前記移動端末との通信を制御する第３通信部と、を備え、
前記基地局処理部が、前記第３通信部を介して、前記移動端末からの接続要求を受信すると、前記切替処理部は、前記バックハウルメディアが前記第１通信部の場合、前記移動端末のローカルネットワークへの接続を前記ローカルＩＰ接続に切り替え、前記バックハウルメディアが前記第２通信部の場合、前記移動端末のローカルネットワークへの接続を前記リモートＩＰ接続に切り替える、移動基地局装置。
【請求項３】
アクティブモードの移動端末とアイドルモードの移動端末を含む複数の移動端末を収容可能であり、ローカルネットワークと接続可能な移動基地局装置と、
コアネットワークに接続され、前記複数の移動端末の状態及び移動管理を行うＭＭＥと、を備える通信システムであって、
前記移動基地局装置は、アクティブモードの前記移動端末の接続要求に基づき、自装置が接続するバックハウルメディアに応じて、前記移動端末のローカルネットワークへの接続をローカルＩＰ接続又はリモートＩＰ接続のいずれか一方に切り替え、
前記ＭＭＥは、ローカルゲートウェイにより抽出されたアイドルモードの前記移動端末のベアラ修正指示に基づき、アイドルモードの前記移動端末の状態及び移動管理する、
通信システム。
【請求項４】
アクティブモードの移動端末とアイドルモードの移動端末を含む複数の移動端末を収容可能であり、ローカルゲートウェイを介して、ローカルネットワークと接続可能な移動基地局装置と、
コアネットワークに接続され、前記複数の移動端末の状態及び移動管理を行うＭＭＥと、を備える通信システムであって、
前記ローカルゲートウェイは、前記移動基地局装置からの応答受信に基づき、ローカルネットワークからの前記移動基地局装置の離脱を検出することで、当該移動基地局装置に収容される前記複数の移動端末を抽出し、当該抽出された複数の移動端末のベアラ修正要求を前記ＭＭＥに送信し、
前記ＭＭＥは、前記ローカルゲートウェイから受信した複数の移動端末のベアラ修正要求に基づき、アクティブモードの前記移動端末について、前記移動基地局装置へのベアラ修正要求を実施し、アイドルモードの前記移動端末について、前記移動基地局装置へのベアラ修正要求を実施しない、
通信システム。
【請求項５】
アクティブモードの移動端末とアイドルモードの移動端末を含む複数の移動端末を収容可能であり、ローカルネットワークと接続可能な移動基地局装置と、
コアネットワークに接続され、前記複数の移動端末の状態及び移動管理を行うＭＭＥと、を備える通信システムであって、
前記移動基地局装置が、バックハウルメディアの切替を検出すると、収容されている前記複数の移動端末が確立するベアラリリース指示メッセージに含まれる自装置の識別情報を前記ＭＭＥに送信し、
前記ＭＭＥは、前記移動基地局装置の識別情報に基づき、ベアラを確立した前記複数の移動端末を抽出し、抽出された前記複数の移動端末の状態及び移動管理を行う、
通信システム。
【請求項６】
アクティブモードの移動端末とアイドルモードの移動端末を含む複数の移動端末を収容可能であり、ローカルネットワークと接続可能な移動基地局装置と、
コアネットワークに接続され、前記複数の移動端末の状態及び移動管理を行うＭＭＥと、を備える通信システムであって、
前記移動基地局装置が、バックハウルメディアの切替を検出すると、前記複数の移動端末が確立するベアラ修正要求に含まれる自装置の識別情報を前記ＭＭＥに送信し、
前記ＭＭＥは、前記移動基地局装置の識別情報に基づき、ベアラを確立した前記複数の移動端末を抽出し、ローカルゲートウェイから受信した複数の移動端末のベアラ修正要求に基づき、アクティブモードの前記移動端末について、前記移動基地局装置へのベアラ修正要求を実施し、アイドルモードの前記移動端末について、前記移動基地局装置へのベアラ修正要求を実施しない、
通信システム。
【請求項７】
移動基地局装置に接続するための処理を行う無線通信部と、
前記移動基地局装置を介した通信を制御する制御部と、
確立した通信コネクションにより通信を行うアプリケーションを動作させるアプリ部と、を備えた移動端末であって、
前記制御部は、前記無線通信部を介して受信した、バックハウルメディアの切替に基づき前記移動基地局装置からのベアラリリース指示に基づき、ローカルネットワークへの接続をローカルＩＰ接続又はリモートＩＰ接続のいずれか一方に切り替え、
前記アプリ部は、切り替えられたローカルＩＰ接続又はリモートＩＰ接続のいずれか一方の通信コネクションにより通信を行うアプリケーションを動作させる、
移動端末。
【請求項８】
移動基地局装置に収容される移動端末のローカルネットワークへの接続を切り替えるための通信方法であって、前記ローカルネットワークへの接続要求を前記移動端末から前記移動基地局装置へ送信するステップと、
前記移動端末からの前記ローカルネットワークへの接続要求に基づき、前記移動基地局装置が接続するバックハウルメディアに応じて、前記移動端末のローカルネットワークへの接続をローカルＩＰ接続又はリモートＩＰ接続のいずれか一方に切り替えるステップと、
を備える通信方法。
【発明の詳細な説明】
【技術分野】
【０００１】
本発明は、移動基地局に収容された移動端末がローカルネットワークに適切な経路で接続するための、通信システム、通信方法、並びに移動端末及び移動基地局装置に関する。
【背景技術】
【０００２】
セルラ通信システムのカバレッジを拡充させるための方策として、住宅や学校、企業などの狭域エリアをカバーするセルを形成するフェムト基地局の導入が進められている。さらには、フェムト基地局を介して自宅や学校、企業などが運用するローカルネットワークに接続するローカルＩＰアクセスサービスへの期待が高まっている。これは、従来の無線ＬＡＮによるローカルネットワーク接続に比べて、セルラ技術を用いることによるＱｏＳ保証やセキュリティ確保の高さに対する期待である。【０００３】
フェムト基地局を介したローカルネットワーク接続は、セルラ標準技術を策定する標準化団体において検討が進められている。特に３ＧＰＰ（３ｒｄ  Ｇｅｎｅｒａｔｉｏｎ  Ｐａｒｔｎｅｒｓｈｉｐ  Ｐｒｏｊｅｃｔ）では、ローカルＩＰアクセス（Ｌｏｃａｌ  ＩＰ  Ａｃｃｅｓｓ；  ＬＩＰＡ）としてネットワークアーキテクチャ、方式、プロトコルの策定が進められている（非特許文献１）。【０００４】
非特許文献１では、接続先となるローカルネットワーク（以下、ＬＩＰＡネットワークとも呼ぶ）を示す識別子の一つとして、アクセスポイント名（Ａｃｃｅｓｓ  Ｐｏｉｎｔ  Ｎａｍｅ；以下、ＡＰＮと呼ぶ）を移動端末が指定してローカルＩＰアクセス（ＬＩＰＡ）を実施する方法が開示されている。【０００５】
ここで、フェムト基地局を持ち出して自宅や学校、企業の外からでもローカルネットワークへのセキュア接続を実施するユースケース（ローカルネットワークへのリモートアクセス；以下、Ｒｅｍｏｔｅ  ＩＰ  Ａｃｃｅｓｓ；ＲＩＰＡとも呼ぶ）を考える。【０００６】
自宅に設置されたフェムト基地局は、ブロードバンド回線を介してオペレータのコアネットワークに接続される。ブロードバンド回線に接続するためのケーブルを抜くと、フェムト基地局はセルラ回線を介して付近のマクロ基地局に接続してコアネットワークへのコネクションを確立し、フェムト基地局配下の移動端末のコネクションを維持する。このように、セルラ回線を用いてセルラ通信システムのカバレッジを拡充させる技術は、特にリレー技術（あるいはモバイルリレー技術）と呼ばれる。３ＧＰＰにおけるリレー技術は、ＴＲ３６．８０６において検討が進められている。【０００７】
上記のように移動するフェムト基地局（以降、移動基地局と呼ぶ）に収容される移動端末は、移動基地局とともに移動する場合において、セルラシステムにおける移動が隠蔽される。つまり、移動端末から見ると、上位の基地局が変わらないので移動を検出することがなく、移動管理処理（ＴＳ２３．４０１に規定されるＴｒａｃｋｉｎｇ  Ｕｐｄａｔｅ  ＰｒｏｃｅｄｕｒｅやＴＳ２３．０６０に規定されるＬｏｃａｔｉｏｎ  Ｕｐｄａｔｅ  Ｐｒｏｃｅｄｕｒｅなど）やハンドオーバ処理を行わない。これによって、移動基地局が複数の移動端末を収容する場合に、個々の移動端末からの移動管理シグナリングを削減でき、トラフィックコストを低減することができるという特徴がある。しかしながら、先に示したようにローカルネットワークへの接続は、移動端末が明示的に指定することにより実施するものであり、ＬＩＰＡとＲＩＰＡの切り替えも移動端末が再接続を行ったり、ハンドオーバ処理によって実施されることが想定される。【０００８】
これらのことから、移動基地局が移動端末を収容する環境においては、移動端末が自身の移動を検出できないので、移動基地局に伴って移動する際にローカルネットワークへの接続を正しく切り替えることができないという問題がある。すなわち、移動基地局とともに移動すると通信セッションが不意に切断され、ユーザ利便性を著しく損なうという問題がある。こうした問題を解決するために、移動基地局が自宅のホームゲートウェイとＶＰＮ（Ｖｉｒｔｕａｌ  Ｐｒｉｖａｔｅ  Ｎｅｔｗｏｒｋ）等のセキュアトンネルを確立して、移動基地局配下の、移動端末のローカルネットワーク接続を一括収容する方法が考えられる。
【先行技術文献】
【非特許文献】
【０００９】
【非特許文献１】ＴＲ２３．８２９；  “Ｌｏｃａｌ  ＩＰ  Ａｃｃｅｓｓ  ａｎｄ  Ｓｅｌｅｃｔｅｄ  ＩＰ  Ｔｒａｆｆｉｃ  Ｏｆｆｌｏａｄ，  Ｒｅｌｅａｓｅ−１０”
【発明の概要】
【発明が解決しようとする課題】
【００１０】
しかしながら、ＴＲ３６．８０６に開示されるリレー技術では、リレーノードとして機能する移動基地局を終端点とするＶＰＮトンネルを構築することができない。以下、これについて説明する。【００１１】
ＴＲ３６．８０６では、移動基地局を実現する２つの方法が開示される。一つは従来の移動端末（Ｕｓｅｒ  Ｅｑｕｉｐｍｅｎｔ；ＵＥと呼ぶ）と同様、ＰＤＮコネクションを確立し、その上に移動端末（ＵＥ）のＰＤＮコネクションを収容する方法である。ＰＤＮコネクションとは、パブリック・データ・ネットワーク（Ｐｕｂｌｉｃ  Ｄａｔａ  Ｎｅｔｗｏｒｋ；  ＰＤＮ）との接続である。このとき、移動基地局が接続するＰＤＮは、ＵＥトラフィックをコアネットワーク内でルーティングするためのものであり、インターネット等の外部到達性は本来必要ないものである。【００１２】
さらには、移動基地局が接続するＰＤＮは、ＵＥトラフィックを、インターネット等の外部ネットワークに到達させることにより、不要なパケット（例えば、悪意のあるパケット）が転送され、セキュリティレベルを低下させる懸念がある。リレー基地局は、本来オペレータ設備であり、リレー基地局が外部ネットワークとの直接通信すると、セキュリティレベルを下げてしまい、移動基地局を管理するオペレータとして実施しないことが考えられる。【００１３】
また、二つ目の方法は、リレーノードとして機能する移動基地局とそれを収容するマクロ基地局間の無線ベアラのみを確立して、ＵＥトラフィックを収容する方法である。このとき、移動基地局はＰＤＮコネクションを確立しないので、ＩＰアドレスを持たない。すなわち、移動基地局はＩＰネットワーク上にＶＰＮトンネルを構築することができない。【００１４】
本発明の目的は、移動基地局の接続形態に応じて、移動端末のローカルネットワークへの適切な通信経路を確立させるための、通信システム、通信方法、並びにその通信方法で用いられる移動端末及び移動基地局装置を提供することである。
【課題を解決するための手段】
【００１５】
本発明は、自装置が収容する移動端末からの接続要求を受ける基地局処理部と、前記移動端末からの接続要求に基づき、自装置が接続するバックハウルメディアに応じて、前記移動端末のローカルネットワークへの接続をローカルＩＰ接続又はリモートＩＰ接続のいずれか一方に切り替える、切替処理部と、を備える移動基地局装置を提供する。【００１６】
また、上記移動基地局装置は、前記ローカルネットワークとの通信を制御する第１通信部と、マクロ基地局との通信を制御する第２通信部と、前記移動端末との通信を制御する第３通信部と、を備え、前記基地局処理部が、前記第３通信部を介して、前記移動端末からの接続要求を受信すると、前記切替処理部は、前記バックハウルメディアが前記第１通信部の場合、前記移動端末のローカルネットワークへの接続を前記ローカルＩＰ接続に切り替え、前記バックハウルメディアが前記第２通信部の場合、前記移動端末のローカルネットワークへの接続を前記リモートＩＰ接続に切り替える。【００１７】
また、本発明は、アクティブモードの移動端末とアイドルモードの移動端末を含む複数の移動端末を収容可能であり、ローカルネットワークと接続可能な移動基地局装置と、コアネットワークに接続され、前記複数の移動端末の状態及び移動管理を行うＭＭＥと、を備える通信システムであって、前記移動基地局装置は、アクティブモードの前記移動端末の接続要求に基づき、自装置が接続するバックハウルメディアに応じて、前記移動端末のローカルネットワークへの接続をローカルＩＰ接続又はリモートＩＰのいずれか一方に切り替え、前記ＭＭＥは、ローカルゲートウェイにより抽出されたアイドルモードの前記移動端末のベアラ修正指示に基づき、アイドルモードの前記移動端末の状態及び移動管理する、通信システムを提供する。【００１８】
また、本発明は、アクティブモードの移動端末とアイドルモードの移動端末を含む複数の移動端末を収容可能であり、ローカルゲートウェイを介して、ローカルネットワークと接続可能な移動基地局装置と、コアネットワークに接続され、前記複数の移動端末の状態及び移動管理を行うＭＭＥと、を備える通信システムであって、前記ローカルゲートウェイは、前記移動基地局装置からの応答受信に基づき、ローカルネットワークからの前記移動基地局装置の離脱を検出することで、当該移動基地局装置に収容される前記複数の移動端末を抽出し、当該抽出された複数の移動端末のベアラ修正要求を前記ＭＭＥに送信し、前記ＭＭＥは、前記ローカルゲートウェイから受信した複数の移動端末のベアラ修正要求に基づき、アクティブモードの前記移動端末について、前記移動基地局装置へのベアラ修正要求を実施し、アイドルモードの前記移動端末について、前記移動基地局装置へのベアラ修正要求を実施しない、通信ステムを提供する。【００１９】
また、本発明は、アクティブモードの移動端末とアイドルモードの移動端末を含む複数の移動端末を収容可能であり、ローカルネットワークと接続可能な移動基地局装置と、コアネットワークに接続され、前記複数の移動端末の状態及び移動管理を行うＭＭＥと、を備える通信システムであって、前記移動基地局装置が、バックハウルメディアの切替を検出すると、収容されている前記複数の移動端末が確立するベアラリリース指示メッセージに含まれる自装置の識別情報を前記ＭＭＥに送信し、前記ＭＭＥは、前記移動基地局装置の識別情報に基づき、ベアラを確立した前記複数の移動端末を抽出し、抽出された前記複数の移動端末の状態及び移動管理を行う、通信システムを提供する。【００２０】
また、本発明は、アクティブモードの移動端末とアイドルモードの移動端末を含む複数の移動端末を収容可能であり、ローカルネットワークと接続可能な移動基地局装置と、コアネットワークに接続され、前記複数の移動端末の状態及び移動管理を行うＭＭＥと、を備える通信システムであって、前記移動基地局装置が、バックハウルメディアの切替を検出すると、前記複数の移動端末が確立するベアラ修正要求に含まれる自装置の識別情報を前記ＭＭＥに送信し、前記ＭＭＥは、前記移動基地局装置の識別情報に基づき、ベアラを確立した前記複数の移動端末を抽出し、ローカルゲートウェイから受信した複数の移動端末のベアラ修正要求に基づき、アクティブモードの前記移動端末について、前記移動基地局装置へのベアラ修正要求を実施し、アイドルモードの前記移動端末について、前記移動基地局装置へのベアラ修正要求を実施しない、通信システムを提供する。【００２１】
また、本発明は、移動基地局装置に接続するための処理を行う無線通信部と、前記移動基地局装置を介した通信を制御する制御部と、確立した通信コネクションにより通信を行うアプリケーションを動作させるアプリ部と、を備えた移動端末であって、前記制御部は、前記無線通信部を介して受信した、バックハウルメディアの切替に基づき前記移動基地局装置からのベアラリリース指示に基づき、ローカルネットワークへの接続をローカルＩＰ接続又はリモートＩＰ接続のいずれか一方に切り替え、前記アプリ部は、切り替えられたローカルＩＰ接続又はリモートＩＰ接続のいずれか一方の通信コネクションにより通信を行うアプリケーションを動作させる、移動端末を提供する。【００２２】
また、本発明は、移動基地局装置に収容される移動端末のローカルネットワークへの接続を切り替えるための通信方法であって、前記ローカルネットワークへの接続要求を前記移動端末から前記移動基地局装置へ送信するステップと、前記移動端末からの前記ローカルネットワークへの接続要求に基づき、前記移動基地局装置が接続するバックハウルメディアに応じて、前記移動端末のローカルネットワークへの接続をローカルＩＰ接続又はリモートＩＰ接続のいずれか一方に切り替えるステップと、を備える通信方法を提供する。
【発明の効果】
【００２３】
本発明に係る通信システム、通信方法、並びに移動端末及び移動基地局装置によれば、移動基地局の接続形態に応じて移動端末のローカルネットワークへの接続経路を直接接続かリモート接続のいずれかに切り替えることにより移動端末の適切な通信経路を確立させることができる。更には、移動端末が移動基地局に収容されて通信システム内での移動が隠蔽される場合でも、ローカルネットワーク接続が不意に切断されることを回避させることができ、ユーザ利便性を確保できる。
【図面の簡単な説明】
【００２４】
【図１】実施の形態１に係る通信システムの構成を示す図
【図２】実施の形態１に係る通信システムの一状態を示す図
【図３】実施の形態１に係る移動端末１０ａ、１０ｂの接続シーケンス図
【図４】ベアラリリース指示を説明するシーケンス図（１）
【図５】ベアラ修正指示を説明するシーケンス図（１）
【図６】実施の形態１に係る移動基地局２０の構成を示すブロック図
【図７】（ａ）実施の形態１に係る移動基地局２０の「ＵＥ接続処理」フロー図、（ｂ）実施の形態１に係る移動基地局２０の「ベアラ切替処理」フロー図
【図８】実施の形態１に係る移動端末１０ａ、１０ｂの構成を示すブロック図
【図９】実施の形態１に係る移動端末１０ａ、１０ｂの「ベアラリリース指示受信処理」フロー図
【図１０】実施の形態２に係る通信システム構成を示す図
【図１１】実施の形態２に係る通信システムの一状態を示す図
【図１２】実施の形態２に係る移動端末１０ａ、１０ｂの接続シーケンス図
【図１３】実施の形態２におけるローカルネットワーク接続の切替シーケンス図
【図１４】（ａ）実施の形態２に係る移動基地局２０の「ＵＥ接続処理」フロー図、（ｂ）実施の形態２に係る移動基地局２０の「ベアラ切替処理」フロー図
【図１５】実施の形態２に係るＬＧＷ  ３０の構成を示すブロック図
【図１６】実施の形態２に係るＬＧＷ  ３０の動作を説明するための図
【図１７】実施の形態２に係るＵＥ−ＭＭＥ  ６０の構成を示すブロック図
【図１８】実施の形態２に係るＵＥ−ＭＭＥ  ６０の動作を説明するための図
【図１９】実施の形態３に係る通信システム構成を示す図
【図２０】実施の形態３に係る通信システムの一状態を示す図
【図２１】実施の形態３に係る移動端末１０ａ、１０ｃの接続シーケンス図
【図２２】実施の形態３に係るローカルネットワーク接続の切替シーケンス図
【図２３】実施の形態３に係るＬＧＷ  ３０の動作を説明するための図
【図２４】（ａ）実施の形態３に係るＵＥ−ＭＭＥ  ６０の「ベアラ修正要求受信処理」フロー（１）、（ｂ）実施の形態３に係るＵＥ−ＭＭＥ  ６０の「ベアラ修正要求受信処理」フロー（２）
【図２５】実施の形態４に係る通信システム構成を示す図
【図２６】実施の形態４に係る通信システムの一状態を示す図
【図２７】実施の形態４に係る移動端末１０ａ、１０ｃの接続シーケンス図
【図２８】実施の形態４に係るローカルネットワーク接続の切替シーケンス図
【図２９】（ａ）実施の形態４に係る移動基地局２０の「ＵＥ接続処理」フロー図、（ｂ）実施の形態４に係る移動基地局２０の「ベアラ切替処理」フロー図
【図３０】実施の形態４に係るＵＥ−ＭＭＥ  ６０の動作を説明するための図
【図３１】実施の形態５に係る通信システム構成を示す図
【図３２】実施の形態５に係る通信システムの一状態を示す図
【図３３】実施の形態５に係る移動端末１０ａ、１０ｃの接続シーケンス図
【図３４】実施の形態５に係るローカルネットワーク接続の切替シーケンス図
【図３５】（ａ）実施の形態５に係る移動基地局２０の「ＵＥ接続処理」フロー図、（ｂ）実施の形態５に係る移動基地局２０の「ベアラ切替処理」フロー図
【図３６】実施の形態５に係るＵＥ−ＭＭＥ  ６０の動作を説明するための図
【図３７】ＷｉＭＡＸ、ＷＬＡＮ、３ＧＰＰ２などの技術で構成される公衆アクセスシステム３７００を含む、通信システムの構成を示す図
【図３８】図３７に示した通信システムの動作を説明するための図
【図３９】図３７に示した通信システムにおける移動基地局１０２０の構成を説明するための図
【図４０】図３９に示した移動基地局１０２０のベアラ切替処理を説明するためのフローチャート
【発明を実施するための形態】
【００２５】
以下、本発明の実施形態について、図面を参照して説明する。
【００２６】
（実施の形態１）
本実施の形態に係る通信システムでは、リレーノードとして機能する移動基地局が、移動基地局のバックハウル（Ｂａｃｋｈａｕｌ）が変更されたことで、移動端末が移動したことを検出し、そのタイミングで、移動端末のＬＩＰＡコネクションを切断して再接続を促し、バックハウルメディア（Ｂａｃｋｈａｕｌ  Ｍｅｄｉａ）の種別に応じて、再接続時の経路を正しく制御する。そのため、本実施の形態に係る通信システムによれば、移動基地局の接続形態に応じて移動端末のローカルネットワークへの接続経路を直接接続かリモート接続のいずれかに切り替え、移動端末の最適な通信経路を確立させることができる。
【００２７】
＜通信システム構成＞
図１は、本発明の実施の形態１に係る通信システムの構成を示す図である。図１に示す通信システムは、ローカルＲＡＮ  １００に接続する複数の移動端末（ＵＥ）１０ａ、１０ｂ（以下、移動端末１０ａ、１０ｂと呼ぶ）と、ローカルＲＡＮ  １００を形成する移動基地局２０と、移動基地局２０を経由して、ローカルネットワーク１１０にＬＩＰＡ接続する際のゲートウェイとして機能するローカルゲートウェイ（Ｌｏｃａｌ  Ｇａｔｅｗａｙ；ＬＧＷ）３０（以下、ＬＧＷ  ３０と呼ぶ）と、マクロＲＡＮ  １３０に接続されるマクロ基地局ｅＮＢ  ４０（以下、マクロｅＮＢ  ４０と呼ぶ）と、コアネットワーク１４０に接続するＵＥ−ＭＭＥ  ６０と、コアネットワーク１４０に接続するサービングゲートウェイ（Ｓｅｒｖｉｎｇ  ＧａｔｅＷａｙ；ＳＧＷ）７０（以下、ＳＧＷ  ７０と呼ぶ）と、ローカルＲＡＮ  １００と、ローカルネットワーク１１０と、プロバイダネットワーク１２０と、マクロＲＡＮ  １３０と、オペレータのコアネットワーク１４０と、を含む。なお、図１に示していないが、コアネットワーク１４０内に、リレーノードのモビリティ・マネジメント・エンティティ（Ｍｏｂｉｌｉｔｙ  Ｍａｎａｇｅｍｅｎｔ  Ｅｎｔｉｔｙ；  ＭＭＥ）であるＲＮ−ＭＭＥ  ５０が含まれる（図２参照）。
なお、実施の形態１に係る通信システムでは、全ての移動端末１０ａ、１０ｂがアクティブモードであることを想定している。
【００２８】
図１では、移動基地局２０がローカルネットワーク１１０に直接接続している。また、移動端末１０ａ、１０ｂは、移動基地局２０とＬＧＷ  ３０を介してローカルネットワーク１１０にＬＩＰＡ接続される。ＵＥ−ＭＭＥ  ６０は、移動端末１０ａ、１０ｂのモビリティ・マネジメント・エンティティ（Ｍｏｂｉｌｉｔｙ  Ｍａｎａｇｅｍｅｎｔ  Ｅｎｔｉｔｙ；  ＭＭＥ）であり、移動端末１０ａ、１０ｂの状態及び移動管理を実施する。
【００２９】
図２は、実施の形態１に係る通信システムの一状態を示す図であり、特に、移動基地局２０がローカルネットワーク１１０から離脱して、マクロＲＡＮ  １３０のマクロｅＮＢ  ４０に接続した時の通信システムの一状態を示す。
【００３０】
図２に示すように、移動基地局２０は、マクロｅＮＢ  ４０と接続し、ＲＮ−ＭＭＥ  ５０による管理のもと無線ベアラを確立する。移動端末１０ａ、１０ｂは、移動基地局２０及びＳＧＷ  ７０を介してＬＧＷ  ３０に接続し、ローカルネットワーク１１０へのＲＩＰＡ接続を確立する。
【００３１】
＜システム動作＞
図１、図２に示す通信システムに関する動作について、図３から図５を用いて説明する。図３は、図１に示す通信システムの構成における移動端末１０ａ、１０ｂの接続シーケンスを示す図である。図４は、ベアラリリース指示を説明するシーケンス図（１）である。図５は、ベアラ修正指示を説明するシーケンス図（１）である。
【００３２】
図３に示すように、移動端末１０ａ、１０ｂの接続に先立ち、移動基地局２０は、ローカルネットワーク１１０及びプロバイダネットワーク１２０を経由して、コアネットワーク１４０への接続性を確保する（ステップＳ３０１：コアＮＷへの接続完了）。具体的には、移動基地局２０は、ＰＰＰｏＥなどのプロトコルを用いてコアネットワーク１４０へのセキュアコネクションを確立する。
【００３３】
続いて、移動端末１０ａが接続処理を開始する。移動端末１０ａが接続要求を移動基地局２０に送信すると、移動基地局２０がその接続要求をＵＥ−ＭＭＥ  ６０に転送し、以後ＴＲ２３．８２９に開示される初期接続手順にもとづいて処理が行われ（ステップＳ３０３〜Ｓ３０５：接続処理）、移動端末１０ａとＬＧＷ  ３０との間にＬＩＰＡのための通信コネクション（例えば、ＰＤＮコネクションやＰＤＰコンテキスト）が確立される。移動端末１０ａと同様に、移動端末１０ｂは、移動端末１０ｂとＬＧＷ  ３０との間にＬＩＰＡのための通信コネクションを確立する（ステップＳ３０６〜Ｓ３０８：接続処理）。
【００３４】
次に、図４を参照し、移動基地局２０、及び移動端末１０ａ、１０ｂを含むローカルＲＡＮ  １００が移動して、マクロｅＮＢ  ４０に収容された時の、ローカルネットワーク接続の切り替えシーケンスについて、ベアラリリースを指示する場合の方法と、ベアラ修正を指示する場合の方法の２通りを説明する。
【００３５】
図４は、ベアラリリースを指示する場合の方法を説明するシーケンス図である。移動基地局２０がバックハウル（Ｂａｃｋｈａｕｌ）の切り替えを検出する（ステップＳ４０１：バックハウル切り替え）。移動基地局２０のバックハウル（Ｂａｃｋｈａｕｌ）は、ローカルネットワーク１１０に接続する場合はイーサネット（登録商標）等の有線ＬＡＮや無線ＬＡＮ、無線ＰＡＮ（Ｐｅｒｓｏｎａｌ  Ａｒｅａ  Ｎｅｔｗｏｒｋ）、ミリ波通信リンクなどの通信メディアを使用する。また、移動基地局２０は、マクロＲＡＮ  １３０に接続する場合はセルラ回線を利用する。ここでは、移動基地局２０のバックハウル（Ｂａｃｋｈａｕｌ）が、例えば有線ＬＡＮからセルラ回線に切り替えられたことを検出する。
【００３６】
なお、上記のように、移動基地局２０が、移動基地局２０のバックハウル（Ｂａｃｋｈａｕｌ）が実際に切り替えられたことを検出してもよい。また、移動基地局２０が、移動基地局２０のバックハウル（Ｂａｃｋｈａｕｌ）の切り替えを指示する信号を受信したことで、移動基地局２０のバックハウル（Ｂａｃｋｈａｕｌ）が切り替えられたと判断してもよい。移動基地局２０のバックハウル（Ｂａｃｋｈａｕｌ）の切り替えを指示する信号とは、例えば、ユーザが画面やボタンなどを介して入力する切り替え指示信号や、リモート入力される切り替え指示信号などが考えられる。その際、さらには、切り替え先のバックハウルメディア（Ｂａｃｋｈａｕｌ  Ｍｅｄｉａ）の接続性が確認された時点で、移動基地局２０が、移動基地局２０のバックハウル（Ｂａｃｋｈａｕｌ）が切り替えられたことを判断すれば、移動基地局２０は、誤検出を防いで的確にバックハウルメディア（Ｂａｃｋｈａｕｌ  Ｍｅｄｉａ）の切り替えることができる。
【００３７】
セルラ回線へのバックハウル切り替えを検出すると、移動基地局２０は、マクロｅＮＢ  ４０を介してＲＮ−ＭＭＥ  ５０と接続処理を行い（ステップＳ４０３、Ｓ４０４：接続処理）、ＵＥトラフィックを収容するための通信コネクションを確立する（ステップＳ４０５：コネクション確立）。通信コネクションを確立する詳細な動作は、例えば、ＴＲ３６．８０６に開示されるような手順を用いることができる。
【００３８】
ステップＳ４０５で、ＵＥトラフィックを収容するためのコネクションを確立すると、移動基地局２０は、保持するベアラコンテキスト情報に基づいて、収容する移動端末１０ａ、１０ｂが確立しているベアラに対するベアラリリース指示をＵＥ−ＭＭＥ  ６０に送信する（ステップＳ４０６：ベアラリリース指示）。ここで、収容する移動端末１０ａ、１０ｂが確立しているベアラとは、例えば、ＥＰＳベアラ、ＰＤＮコネクション、ＰＤＰコンテキスト、ラジオベアラなどを指す。
【００３９】
そして、ステップＳ４０６と同時に、移動基地局２０は、移動端末１０ａ，１０ｂに対して該当するベアラ（特に無線ベアラ）のリリース処理を実施する（ステップＳ４０７、Ｓ４０８：ベアラリリース処理）。
【００４０】
なお、ステップＳ４０６で、移動基地局２０は、ベアラ毎に、ベアラリリース指示を発行してもよい。また、移動基地局２０は、移動端末毎に、又はＰＤＮコネクションあるいはＰＤＰコンテキスト毎に、ベアラリリース指示を発行してもよい。さらに、移動基地局２０は、全ベアラに対して一括でベアラリリース指示を発行してもよい。これにより、移動基地局２０は、シグナリングトラフィックの低減を図ることができる。
【００４１】
ステップＳ４０６によりベアラリリース指示を受信したＵＥ−ＭＭＥ  ６０は、ベアラ削除指示をＬＧＷ  ３０に転送する（ステップＳ４０９：ベアラ削除指示）。そして、ＬＧＷ  ３０は、指示されたベアラに対するコンテキストをリリースし、ベアラ削除要求をＵＥ−ＭＭＥ  ６０に送信する（ステップＳ４１１：ベアラ削除要求）。そして、ＵＥ−ＭＭＥ  ６０が、指示されたベアラのコンテキストをリリースした後にベアラ削除応答をＬＧＷ  ３０に送信する（ステップＳ４１３：ベアラ削除応答）。そして、ベアラリリース処理が完了する。なお、移動端末１０ａ、１０ｂのＬＩＰＡコネクションにＳＧＷ  ７０が割り当てられている場合は、ＵＥ−ＭＭＥ  ６０とＬＧＷ  ３０との間のベアラ削除処理にＳＧＷ  ７０も関与する。
【００４２】
ＲＩＰＡコネクションを構成するベアラをリリースされた移動端末１０ａ、１０ｂは、再接続処理を実施する（ステップＳ４１５、Ｓ４１７：接続処理）。このとき、移動端末１０ａ、１０ｂは、再度ＬＩＰＡ用のアクセスポイント名（ＡＰＮ）を指定して再接続を実施する。これは、移動端末１０ａ，１０ｂが自身の移動を検知していないためであり、引き続きローカルネットワークへのＬＩＰＡが可能であると認識しているためである。
【００４３】
移動端末１０ａ、１０ｂの再接続の実施を受け、移動基地局２０が、ＲＩＰＡ用のアクセスポイント名（ＡＰＮ）に書き換えて、又は移動端末１０ａ、１０ｂからの接続要求メッセージにＲＩＰＡ用のアクセスポイント名（ＡＰＮ）への切り替えを指示する情報を付加して、ＵＥ−ＭＭＥ  ６０に移動端末１０ａ、１０ｂの再接続処理を継続させる。ここで、移動端末１０ａ、１０ｂからの接続要求メッセージに付加される、ＲＩＰＡ用のアクセスポイント名（ＡＰＮ）への切り替えを指示する情報とは、例えば、ＲＩＰＡ用のアクセスポイント名（ＡＰＮ）及び切り替え指示フラグ、又はＲＩＰＡ用のアクセスポイント名（ＡＰＮ）が考えられる。
【００４４】
移動端末１０ａ、１０ｂの再接続処理の継続を受けて、ＵＥ−ＭＭＥ  ６０は、ＲＩＰＡ用のアクセスポイント名（ＡＰＮ）への接続、すなわちＬＧＷ  ３０に接続させるためのＳＧＷ  ７０を選択して、移動端末１０ａ、１０ｂに割り当て、ＲＩＰＡ用コネクションを確立する（ステップＳ４１９、Ｓ４２１：コネクション確立）。
【００４５】
なお、移動基地局２０は、ベアラリリース処理の中で、ＲＩＰＡ用のアクセスポイント名（ＡＰＮ）を移動端末１０ａ、１０ｂに通知してもよい。また、移動基地局２０は、ベアラリリース処理の中で、ＲＩＰＡ用のアクセスポイント名（ＡＰＮ）への接続を促す情報（例えば、フラグ）を移動端末１０ａ、１０ｂに通知してもよい。これを受けて、移動端末１０ａ、１０ｂは、ＲＩＰＡ用のアクセスポイント名（ＡＰＮ）を指定して再接続処理を実施する。これにより、移動基地局２０が、移動端末１０ａ、１０ｂからの接続要求メッセージを逐一チェックして、ＲＩＰＡ用のアクセスポイント名（ＡＰＮ）に置き換える負担を軽減することができる。また、これにより、移動基地局２０がＵＥ−ＭＭＥ  ６０にＲＩＰＡ用のアクセスポイント名（ＡＰＮ）への切り替えを指示する負担を、軽減することができる。特に、移動端末（ＵＥ）を複数収容するような通信システムのシステム負荷低減に有効である。
【００４６】
図５を参照して、ベアラ修正を指示する場合の方法を説明するシーケンスについて説明する。図５はベアラ修正を指示する場合の方法を説明するシーケンス図（１）である。
【００４７】
図５に示すように、移動基地局２０がバックハウル（Ｂａｃｋｈａｕｌ）切り替えを検出して（ステップＳ５０１：バックハウル切替）、ＵＥトラフィックを収容するためのコネクションを確立すると（ステップＳ５０３、５０５：接続処理、およびステップＳ５０７：コネクション確立）、保持するベアラコンテキスト情報に基づいて、収容する移動端末１０ａ、１０ｂが確立しているベアラに対するベアラ修正要求メッセージをＵＥ−ＭＭＥ  ６０に送信する（ステップＳ５０９：ベアラ修正要求）。ここで、収容する移動端末１０ａ、１０ｂが確立しているベアラとは、ＥＰＳベアラ、ＰＤＮコネクション、ＰＤＰコンテキスト、ラジオベアラなどを指す。
【００４８】
移動基地局２０は、ベアラ修正要求メッセージの中で、対象としているベアラの接続先をＬＩＰＡ用のアクセスポイント名（ＡＰＮ）からＲＩＰＡ用のアクセスポイント名（ＡＰＮ）に切り替えることを指示する。例えば、移動基地局２０は、ＲＩＰＡ用のアクセスポイント名（ＡＰＮ）をベアラ修正要求メッセージに付加してもよい。また、移動基地局２０は、アクセスポイント名（ＡＰＮ）の切り替えを指示する情報（例えばフラグ）をベアラ修正要求メッセージに明示的に付加してもよい。
【００４９】
なお、移動基地局２０は、ベアラ修正要求メッセージをベアラ毎に発行してもよい。また、移動基地局２０は、ベアラ修正要求メッセージを移動端末毎に、又はＰＤＮコネクション／ＰＤＰコンテキスト毎に発行してもよい。さらには、移動基地局２０は、ベアラ修正要求メッセージを全ベアラに対して一括で発行してもよい、これにより移動基地局２０はシグナリングトラフィックの低減を図ることができる。
【００５０】
ベアラ修正要求を受信したＵＥ−ＭＭＥ  ６０は、ＲＩＰＡ用のアクセスポイント名（ＡＰＮ）に接続するためのＳＧＷ  ７０を選択して割り当て（ステップ５１１：ＳＧＷ選択）、ＬＧＷ  ３０のコンタクトアドレスなどを付加したベアラ修正要求メッセージをＳＧＷ  ７０に送信する（ステップＳ５１３：ベアラ修正要求）。
【００５１】
ベアラ修正要求メッセージを受信したＳＧＷ  ７０は、対象となる移動端末１０ａ、１０ｂのベアラコンテストを生成するとともに、ＬＧＷ  ３０にベアラ修正要求メッセージを転送する。そして、これを受けて、ＬＧＷ  ３０は、ベアラ修正処理として、対象となる移動端末１０ａ、１０ｂのベアラコンテキストを修正し（例えばＳＧＷ  ７０のコンタクトアドレスなど）、ベアラ修正応答メッセージをＳＧＷ  ７０に送信する（ステップＳ５１５：ベアラ修正処理）。そして、ベアラコンテキストの生成／更新が完了すると、ＳＧＷ  ７０は、ベアラ修正応答メッセージをＵＥ−ＭＭＥ  ６０に送信する（ステップＳ５１７：ベアラ修正応答）。
【００５２】
ＵＥ−ＭＭＥ  ６０は対象となる移動端末１０ａ、１０ｂのベアラコンテキストを更新し、ベアラ修正応答メッセージを移動基地局２０に送信する（ステップＳ５１９：ベアラ修正応答）。移動基地局２０は、受信したベアラ修正応答メッセージに基づいて、移動端末１０ａ、１０ｂの無線ベアラ（特にＱｏＳパラメータなど）を更新するベアラ修正処理を実施する（ステップＳ５２１、Ｓ５２３：ベアラ修正処理）。
【００５３】
なお、ＬＩＰＡ用のアクセスポイント名（ＡＰＮ）、及びＲＩＰＡ用のアクセスポイント名（ＡＰＮ）から導出されるゲートウェイが異なる場合、ＬＧＷ  ３０からＲＩＰＡ用のＰＤＮゲートウェイ（ＰＤＮ  Ｇａｔｅｗａｙ：ＰＧＷ）へのリロケーション、又はＲＩＰＡ用のＰＤＮゲートウェイ（ＰＧＷ）からＬＧＷ  ３０へのリロケーションを実施するものであってもよい。
【００５４】
また、移動基地局２０経由の接続処理において、ＵＥ−ＭＭＥ  ６０とＬＧＷ  ３０の間で交換されるメッセージは、必ずしも移動基地局２０を経由する必要はない。これは特に、ＬＧＷ  ３０が直接コアネットワークに接続するような場合に適用される。具体的には、ＬＧＷ  ３０がプロバイダネットワークを介してコアネットワーク上の外部接続装置（例えばＶＰＮゲートウェイ）とセキュアトンネル（例えばＶＰＮ）を構築するような場合は、ＵＥ−ＭＭＥ  ６０やＳＧＷ  ７０などのコアネットワーク装置と直接メッセージを交換することができる。これにより、移動基地局２０のメッセージ処理による負荷を低減できる。
【００５５】
また、上記説明では、移動端末（ＵＥ）１０ａ、１０ｂがＬＩＰＡ用のＡＰＮやＲＩＰＡ用のＡＰＮを指定するとしたが、特にＬＩＰＡ用のＡＰＮやＲＩＰＡ用のＡＰＮを指定せず、従来の一般的なＡＰＮに加えて、ＬＩＰＡあるいはＲＩＰＡを指定する指示子（ｉｎｄｉｃａｔｏｒ）を付加するものであってもよい。これにより、多数のＡＰＮを生成、管理する必要がなくなり、移動端末（ＵＥ）１０ａ、１０ｂの接続管理におけるネットワーク装置（例えばＵＥ−ＭＭＥ  ６０やＳＧＷ  ７０，ＬＧＷ  ３０）の処理負担を軽減させることができる。
【００５６】
＜移動基地局装置の構成と動作＞
次に移動基地局２０の構成について図６を用いて説明する。図６は、実施の形態１に係る移動基地局２０の構成を示すブロック図である。図６に示す移動基地局２０は、ローカルネットワーク１１０との通信を制御するローカル通信部２１と、マクロＲＡＮ  １３０のマクロｅＮＢ  ４０との通信を制御するセルラ通信部（コア網）２２と、収容する移動端末１０ａ、１０ｂとの通信を制御するセルラ通信部（ＵＥ）２３と、ローカル通信部２１を介してＬＧＷ  ３０との通信を制御するＬＧＷ通信部２４と、すべての通信部（ローカル通信部２１、セルラ通信部（コア網）２２、セルラ通信部（ＵＥ）２３、及びＬＧＷ通信部２４）を介して、移動端末１０ａ、１０ｂを収容するための処理を実施する基地局処理部２５と、接続切替処理を実施する切替処理部２６と、を備える。ここでローカル通信部２１は、例えば有線ＬＡＮや無線ＬＡＮ等の通信リンクに接続するための通信インタフェース（通信デバイス）に相当する。
【００５７】
ここで、図６に示す移動基地局２０の動作について、図７（ａ）、（ｂ）を用いて説明する。図７（ａ）は、移動端末（ＵＥ）によるローカルネットワークへの接続処理を実施するための移動基地局２０の「ＵＥ接続処理」フロー図であり、図７（ｂ）は、ＵＥのベアラ切替を実施するための、移動基地局２０の「ベアラ切替処理」フロー図である。
【００５８】
図７（ａ）に示す「ＵＥ接続処理」フロー図では、基地局処理部２５がセルラ通信部（ＵＥ）２３を介して移動端末１０ａ、１０ｂからの接続要求を受信すると（ステップＳ７０１：接続要求受信）、基地局処理部２５が切替処理部２６にその旨を通知する。
【００５９】
切替処理部２６は、基地局処理部２５から通知を受けた時に利用しているバックハウルメディア（Ｂａｃｋｈａｕｌ  Ｍｅｄｉａ）に基づいて、接続先を選択する（ステップＳ７０３：接続先選択）。すなわち、バックハウルメディア（Ｂａｃｋｈａｕｌ  Ｍｅｄｉａ）がローカル通信部２１である場合、切替処理部２６はローカルＩＰアクセス（ＬＩＰＡ）を選択する。バックハウルメディア（Ｂａｃｋｈａｕｌ  Ｍｅｄｉａ）がセルラ通信部（コア網）である場合、切替処理部２６はローカルネットワークへのリモートアクセス（ＲＩＰＡ）を選択する。
【００６０】
続いて、選択した接続先に相当するアクセスポイント名（ＡＰＮ）として、ＬＩＰＡ用のアクセスポイント名（ＡＰＮ）、又はＲＩＰＡ用のアクセスポイント名（ＡＰＮ））は、移動端末１０ａ、１０ｂの接続要求メッセージに付加され（あるいは接続要求メッセージに記載されたアクセスポイント名（ＡＰＮ）に上書きされ）、基地局処理部２５、及びバックハウルメディア（セルラ通信部（コア網）２２又はローカル通信部２１）を介して、ＵＥ−ＭＭＥ  ６０に転送される（ステップＳ７０５：接続転送要求）。以後、基地局処理部２５が各通信部から受信するメッセージを処理するなど、移動端末１０ａ、１０ｂの接続処理に必要な動作を実施する（ステップＳ７０７：後続する接続処理実施）。
【００６１】
図７（ｂ）に示す「ベアラ切替処理」フロー図では、切替処理部２６は、バックハウルメディア（Ｂａｃｋｈａｕｌ  Ｍｅｄｉａ）の切替が行われた（あるいは切替が必要である）ことを検出すると（ステップＳ７３１：バックハウル切替検出）、切替処理部２６は、基地局処理部２５の処理モードとして、（１）有線／無線ＬＡＮ等の通信メディアで接続してフェムト基地局として動作するモード、あるいは（２）セルラ回線を介してリレーノードとして動作するモードの、いずれか一方のモードを選択して、基地局処理部２５に適用する（ステップＳ７３３：処理モード変更）。
【００６２】
続いて、切替処理部２６は、セルラ通信部（コア網）２２又はローカル通信部２１を介して、ベアラ修正要求メッセージを送信するよう基地局処理部２５に指示する。あるいは、切替処理部２６は、セルラ通信部（コア網）２２、ローカル通信部２１、又はセルラ通信部（ＵＥ）２３を介して、ベアラリリース指示を送信するように基地局処理部２５に指示する（ステップＳ７３５：ベアラ修正要求  ｏｒ  ベアラリリース指示）。以後、基地局処理部２５が各通信部から受信するメッセージを処理するなど、移動端末１０ａ、１０ｂのベアラに対する更新処理やリリース処理に必要な動作を実施する（ステップＳ７３７：後続する処理実施）。
【００６３】
＜移動端末の構成と動作＞
次に、移動端末１０ａ、１０ｂの構成について図８を用いて説明する。図８は、移動端末１０ａ、１０ｂの構成を示すブロック図である。移動端末１０ａ、１０ｂの構成は同じであるため、便宜上、図８では移動端末１０ａ（又は１０ｂ）と表記する。
【００６４】
図８に示す移動端末１０ａ（又は１０ｂ）は、移動基地局２０に接続するための無線通信部１１と、移動基地局２０を介した通信を制御する通信処理部１２と、確立した通信コネクションを用いて通信を行うアプリケーションを動作させるアプリ部１３と、を備える。
【００６５】
図８に示す移動端末１０ａ（又は１０ｂ）の動作として、特にローカルネットワーク１１０への接続切替時に、接続先識別子の指示を含むベアラリリース指示を受信した時の動作について、図９を用いて説明する。図９は、実施の形態１に係る移動端末１０ａ、１０ｂの「ベアラリリース指示受信処理」フロー図である。
【００６６】
図９に示す「ベアラリリース指示受信処理」フローでは、移動端末１０ａ（又は１０ｂ）は、無線通信部１１を介してベアラリリース指示メッセージを移動基地局２０から受信すると、通信処理部１２が、ベアラリリース指示メッセージから接続先の識別子ＡＰＮを抽出する（ステップＳ９０１：ＡＰＮ抽出）。
【００６７】
続けて通信処理部１２は、ローカルネットワーク１１０に接続するためのベアラをリリースするための処理を実施する（ステップＳ９０３：ベアラリリース処理実施）。具体的には、ＴＳ２３．４０１やＴＳ２３．０６０に開示されるようなベアラリリース手順を実施する。
【００６８】
ベアラリリース処理を完了すると、移動端末１０ａ（又は１０ｂ）は、先に抽出したアクセスポイント名（ＡＰＮ）で示されるＰＤＮへの接続処理を開始する（ステップＳ９０５：抽出したＡＰＮに接続）。具体的には、ＴＳ２３．４０１やＴＳ２３．０６０に開示されるような初期接続手順（Ｉｎｉｔｉａｌ  Ａｔｔａｃｈ  Ｐｒｏｃｅｄｕｒｅ）あるいは追加コネクション接続手順（Ａｄｄｉｔｉｏｎａｌ  ＰＤＮ  Ｃｏｎｎｅｃｔｉｖｉｔｙ  Ｐｒｏｃｅｄｕｒｅ）を実施する。
【００６９】
なお、図５に示すシステム動作をサポートする移動端末１０ａ（又は１０ｂ）は、従来のＴＳ２３．４０１やＴＳ２３．０６０に開示されるベアラ修正処理を実施するものである。特に移動端末１０ａ（又は１０ｂ）は、移動基地局２０との間で実施されるベアラ修正処理の中で、（１）移動基地局２０から接続先のアクセスポイント名（ＡＰＮ）が変更されることを通知された場合（例えば、接続先のアクセスポイント名（ＡＰＮ）を変更したことを通知するフラグ等の情報と変更後のアクセスポイント名（ＡＰＮ）が通知された場合）、又は、（２）変更後のアクセスポイント名（ＡＰＮ）が通知され、それまで接続していたアクセスポイント名（ＡＰＮ）と異なることを検出した場合、移動端末１０ａ（又は１０ｂ）は、（ａ）アプリ部１３においてＱｏＳパラメータを適した値に修正変更したり、（ｂ）アプリケーション動作、また（ｃ）他の変更後の接続先ネットワークやＱｏＳに適したアプリケーションを実行してもよい。
【００７０】
（実施の形態２）
実施の形態１に係る通信システムでは、全ての移動端末（ＵＥ）がアクティブモードであることを想定したものであった。しかしながら、移動基地局の配下の移動端末（ＵＥ）がアイドルモードである場合、移動基地局には、アイドルモードＵＥ（Ｉｄｌｅ  ｍｏｄｅ  Ｕｓｅｒ  Ｅｑｕｉｐｍｅｎｔ（ＵＥ））のコンテキストが存在しないため、移動基地局はベアラリリースやベアラ修正処理を実施することができない。したがって、実施の形態２に係る通信システムでは、ＬＧＷが保持するＵＥコンテキストに基づいてアイドルモードＵＥが特定され、アイドルモードＵＥのコネクションの切り替えをアクティブモードＵＥの切り替えと同じタイミングで実施される。そのため、本実施の形態に係る通信システムによれば、移動基地局の接続形態に応じて移動端末のローカルネットワークへの接続経路を直接接続かリモート接続のいずれかに切り替え、移動端末の最適な通信経路を確立させることができる。
【００７１】
ここで、アイドルモードＵＥとは、アイドルモードである移動端末（ＵＥ）を指し、アクティブモードＵＥとは、アクティブモードである移動端末（ＵＥ）を指す。
【００７２】
＜通信システム構成＞
図１０は、本発明による実施の形態２に係る通信システム構成を示す図である。ここで、図１０に示す通信システムが、図１に示す通信システムと異なる点は、移動基地局２０が収容する移動端末１０ａ、１０ｃのうち、移動端末１０ａはアクティブモードＵＥであり、移動端末１０ｃはアイドルモードＵＥである。この点以外は実施の形態１と同様であり、図１０において、図１と共通する構成要素には同じ参照符号が付されている。
【００７３】
図１０では、移動基地局２０がローカルネットワーク１１０に直接接続している。また、移動端末１０ａ、１０ｃは、移動基地局２０とＬＧＷ  ３０を介してローカルネットワーク１１０にＬＩＰＡ接続される。ＵＥ−ＭＭＥ  ６０は、コアネットワーク１４０に接続され、移動端末１０ａ、１０ｃの状態及び移動管理を実施する。
【００７４】
以後、実施の形態２において、便宜上、アクティブモードである移動端末１０ａを、アクティブモードＵＥ  １０ａと呼び、アイドルモードである移動端末１０ｃを、アイドルモードＵＥ  １０ｃと呼ぶ場合がある。
【００７５】
図１１は、実施の形態２に係る通信システムの一状態を示す図であり、移動基地局２０がローカルネットワーク１１０から離脱して、マクロＲＡＮ  １３０のマクロｅＮＢ  ４０に接続した時の状態を示す。図１１に示す通信システムが、図２に示す通信システムと異なる点は、アクティブモードＵＥ  １０ａとアイドルモードＵＥ  １０ｃとが混在する点である。この点以外は実施の形態１と同様であり、図１１において、図２と共通する構成要素には同じ参照符号が付されている。
【００７６】
＜システム動作＞
図１０、図１１に示す通信システムの動作について、図１２及び図１３を用いて説明する。図１２は、図１０に示す通信システムの構成における移動端末１０ａ、１０ｃの接続シーケンスを示す図である。
【００７７】
図１２に示すように、移動端末１０ａ、１０ｃの接続に先立ち、移動基地局２０は、ローカルネットワーク１１０及びプロバイダネットワーク１２０を経由して、コアネットワーク１４０への接続性を確保する（ステップＳ１２０１：コアＮＷへの接続完了）。具体的には、移動基地局２０は、ＰＰＰｏＥなどのプロトコルを用いてコアネットワーク１４０へのセキュアコネクションを確立する。
【００７８】
続いて、移動端末１０ａが接続処理を開始する。移動端末１０ａが接続要求を移動基地局２０に送信すると、移動基地局２０がその接続要求をＵＥ−ＭＭＥ  ６０に転送し、以後ＴＲ２３．８２９に開示される初期接続手順にもとづいて処理が行われ（ステップＳ１２０３〜Ｓ１２０５：接続処理）、移動端末１０ａとＬＧＷ  ３０との間にＬＩＰＡのための通信コネクション（例えば、ＰＤＮコネクションやＰＤＰコンテキスト）が確立される。移動端末１０ａと同様に、移動端末１０ｃは、移動端末１０ｃとＬＧＷ  ３０との間にＬＩＰＡのための通信コネクションを確立する（ステップＳ１２０６〜Ｓ１２０８：接続処理）。
【００７９】
さらに、図１２に示す接続シーケンスでは、移動端末１０ｃがＬＩＰＡ用コネクションを確立後、アイドルモードに遷移することを想定する（ステップＳ１２１０：アイドルモードに遷移）。これにより、移動基地局２０における移動端末１０ｃに関するベアラコンテキストが削除される。
【００８０】
図１３を参照して、移動基地局２０、および移動端末１０ａ、１０ｃを含むローカルＲＡＮ  １００が移動して、マクロｅＮＢ  ４０に収容された時の、ローカルネットワーク接続の切替シーケンスについて説明する。図１３は、本実施の形態におけるローカルネットワーク接続の切替シーケンス図である。
【００８１】
図１３に示すように、移動基地局２０がバックハウル（Ｂａｃｋｈａｕｌ）切り替えを検出して（ステップＳ１３０１：バックハウル切替）、ＵＥトラフィックを収容するためのコネクションを確立すると（ステップＳ１３０３、１３０５：接続処理、およびステップＳ１３０７：コネクション確立）、移動基地局２０が保持するベアラコンテキスト情報に基づいて、収容する移動端末１０ａが確立したベアラに対するベアラ修正要求メッセージをＵＥ−ＭＭＥ  ６０に送信する（ステップＳ１３０９：ベアラ修正要求）。ここで、収容する移動端末１０ａが確立しているベアラとは、ＥＰＳベアラ、ＰＤＮコネクション、ＰＤＰコンテキスト、ラジオベアラなどを指す。
【００８２】
移動基地局２０は、ベアラ修正要求メッセージの中で、対象としているベアラの接続先をＬＩＰＡ用のアクセスポイント名（ＡＰＮ）からＲＩＰＡ用のアクセスポイント名（ＡＰＮ）に切り替えることを指示する。例えば、移動基地局２０は、ＲＩＰＡ用のアクセスポイント名（ＡＰＮ）をベアラ修正要求メッセージに付加してもよい。また、移動基地局２０は、アクセスポイント名（ＡＰＮ）の切り替えを指示する情報（例えばフラグ）をベアラ修正要求メッセージに明示的に付加してもよい。
【００８３】
なお、移動基地局２０は、ベアラ修正要求メッセージをベアラ毎に発行してもよい。また、移動基地局２０は、ベアラ修正要求メッセージを移動端末毎に、又はＰＤＮコネクション／ＰＤＰコンテキスト毎に発行してもよい。さらには、移動基地局２０は、ベアラ修正要求メッセージを全ベアラに対して一括で発行してもよい、これにより移動基地局２０はシグナリングトラフィックの低減を図ることができる。
【００８４】
ベアラ修正要求を受信したＵＥ−ＭＭＥ  ６０は、ＲＩＰＡ用のアクセスポイント名（ＡＰＮ）に接続するためのＳＧＷ  ７０を選択して割り当て（ステップ１３１１：ＳＧＷ選択）、ＬＧＷ  ３０のコンタクトアドレスなどを付加したベアラ修正要求メッセージをＳＧＷ  ７０に送信する（ステップＳ１３１３：ベアラ修正要求）。ここで、ＬＩＰＡ接続時にコアネットワークのＳＧＷ  ７０が割り当てられるような場合は、同じＳＧＷを用いてもよく、これによってＵＥ−ＭＭＥ  ６０におけるＳＧＷ選択に伴う処理負荷を低減することができる。
【００８５】
ベアラ修正要求メッセージを受信したＳＧＷ  ７０は、対象となる移動端末１０ａのベアラコンテストを生成するとともに、ＬＧＷ  ３０にベアラ修正要求メッセージを転送する。そして、これを受けて、ＬＧＷ  ３０は、ベアラ修正処理として、対象となる移動端末１０ａのベアラコンテキストを修正し（例えばＳＧＷ  ７０のコンタクトアドレスなど）、ベアラ修正応答メッセージをＳＧＷ  ７０に送信する（ステップＳ１３１５：ベアラ修正処理）。そして、ベアラコンテキストの生成／更新が完了すると、ＳＧＷ  ７０は、ベアラ修正応答メッセージをＵＥ−ＭＭＥ  ６０に送信する（ステップＳ１３１７：ベアラ修正応答）。
【００８６】
ＵＥ−ＭＭＥ  ６０は対象となる移動端末１０ａのベアラコンテキストを更新し、ベアラ修正応答メッセージを移動基地局２０に送信する（ステップＳ１３１９：ベアラ修正応答）。移動基地局２０は、受信したベアラ修正応答メッセージに基づいて、移動端末１０ａの無線ベアラ（特にＱｏＳパラメータなど）を更新するベアラ修正処理を実施する（ステップＳ１３２１：ベアラ修正処理）。
【００８７】
なお、ＬＩＰＡ用のアクセスポイント名（ＡＰＮ）、及びＲＩＰＡ用のアクセスポイント名（ＡＰＮ）から導出されるゲートウェイが異なる場合、ＬＧＷ  ３０からＲＩＰＡ用のＰＤＮゲートウェイ（ＰＤＮ  Ｇａｔｅｗａｙ：ＰＧＷ）へのリロケーション、又はＲＩＰＡ用のＰＤＮゲートウェイ（ＰＧＷ）からＬＧＷ  ３０へのリロケーションを実施するものであってもよい。
【００８８】
上述のように、図１３に示す切替シーケンスにおいて、アクティブモードである移動端末１０ａに対する切替処理であるステップＳ１３０１からステップＳ１３２１までは、図５に示すシーケンスで説明した移動端末１０ａに対する処理ステップＳ５０１〜Ｓ５２１と同じである。
【００８９】
ここで、図１３に示す切替シーケンスが図５に示すシーケンスと異なる点は、ステップＳ１３２１の後に続けて実施される、ＬＧＷ  ３０の処理である。すなわち、アクティブモードＵＥ  １０ａに対するベアラ修正処理を完了し、ローカルネットワーク接続のための経路切替を完了したＬＧＷ  ３０は、自身が保持するベアラコンテキスト情報（ＥＰＳベアラあるいはＰＤＰコンテキストを管理するためのコンテキスト情報）にもとづいて、アイドルモードＵＥを抽出する（ステップＳ１３３１：残りのＵＥ検出）。すなわち、先にベアラ修正処理を実施したアクティブモードＵＥを除いた移動端末（ＵＥ）をアイドルモードＵＥであるとして抽出する。
【００９０】
ステップＳ１３３１で、ＬＧＷ  ３０は、特に移動基地局２０が収容する移動端末（ＵＥ）だけを抽出してもよい。例えば、移動端末（ＵＥ）がＬＩＰＡへの接続処理時に通知してきた移動基地局２０のＣＳＧやセルＩＤ、基地局ＩＤ、位置登録エリアＩＤ（例えばＴｒａｃｋｉｎｇ  Ａｒｅａ  ＩＤやＬｏｃａｔｉｏｎ  Ａｒｅａ  ＩＤ、Ｒｏｕｔｉｎｇ  Ａｒｅａ  ＩＤ）などのいずれかひとつ、又は複数の組み合わせを記録しておき、先にベアラ修正処理を実施したアクティブモードＵＥと同じＣＳＧやセルＩＤ、基地局ＩＤ、位置登録エリアＩＤに所属する移動端末（ＵＥ）のうち、まだベアラ修正処理を実施していない移動端末（ＵＥ）をアイドルモードＵＥであるとして抽出する。
【００９１】
ＬＧＷ  ３０は、抽出したアイドルモードＵＥ  １０ｃに対するベアラ修正処理をＳＧＷ  ７０に対して実施する（ステップＳ１３３３：ベアラ修正処理）。ここでＳＧＷ  ７０は、先にアクティブモードＵＥ  １０ａに対して割り当てられたのと同じＳＧＷである。これは、同じ移動基地局に収容される移動端末（ＵＥ）は、同じロケーションに在圏することから、ほぼ必然的に同じＳＧＷに収容されることになる、システムオペレーション上の特性を利用したものである。
【００９２】
ＳＧＷ  ７０は、アイドルモードＵＥ  １０ｃのベアラコンテキストを生成するとともに、移動端末１０ｃの状態をアイドルモードに設定し、ベアラ修正指示メッセージをＵＥ−ＭＭＥ  ６０に送信する（ステップＳ１３３５：ベアラ修正指示）。
【００９３】
ＵＥ−ＭＭＥ  ６０は、受信したベアラ修正指示メッセージに基づいて、ＵＥ−ＭＭＥ  ６０が保持する移動端末１０ｃのベアラコンテキストを更新し（例えばＳＧＷのコンタクトアドレスなどを更新）、移動端末１０ｃのコンテキストに記録されている状態からアイドルモードであることを検出し、移動基地局２０へのベアラ修正要求は行わない。これにより、移動端末１０ｃはアイドルモードを継続することができ、移動端末１０ｃのバッテリ消費を低減させることができる。
【００９４】
なお、ＳＧＷ  ７０がＵＥ−ＭＭＥ  ６０に対してベアラ修正指示を実施する際に、対象とする移動端末１０ｃがアイドルモードであることを明示的に通知してもよい。後に、ステップＳ１３３７（図１３中、「アイドルモードから復帰」）で移動端末１０ｃがアイドルモードから復帰する際に実施するサービスリクエスト処理の中で、無線ベアラを含む通信コネクション全体の再構築（主にＱｏＳパラメータの再構築）を実施する（ステップＳ１３３９：サービスリクエスト処理、及びＳ１３４１：ベアラ修正処理）。
【００９５】
なお、ＬＩＰＡ用のアクセスポイント名（ＡＰＮ）と、ＲＩＰＡ用のアクセスポイント名（ＡＰＮ）から導出されるゲートウェイが異なる場合、ＬＧＷ  ３０からＲＩＰＡ用ＰＧＷへの（あるいはＲＩＰＡ用ＰＧＷからＬＧＷへの）リロケーションを実施するものであってもよい。より詳しくは、まずアクティブＵＥのベアラコンテキストをＬＧＷ  ３０からＰＧＷにハンドオーバする。その後で、ＬＧＷ  ３０が実施するアイドルモードＵＥのベアラ修正処理の中で、アイドルモードＵＥに対するＰＧＷリロケーションを実施する。
【００９６】
＜移動基地局２０の動作＞
本実施の移動基地局２０の動作について、図１４（ａ）、（ｂ）を用いて説明する。なお、本実施の形態における移動基地局２０の構成は、図６に示す移動基地局の構成と同じであるため、その説明を割愛する。図１４（ａ）は、実施の形態２に係る移動基地局２０の「ＵＥ接続処理」フロー図であり、図１４（ｂ）は、実施の形態２に係る移動基地局２０の「ベアラ切替処理」フロー図である。
【００９７】
図１４（ａ）に示す「ＵＥ接続処理」において、基地局処理部２５がセルラ通信部（ＵＥ）２３を介して移動端末（ＵＥ）からの接続要求を受信すると（ステップＳ１４０１：接続要求受信）、基地局処理部２５が切替処理部２６にその旨を通知する。
【００９８】
切替処理部２６は、基地局処理部２５から通知を受けた時に利用しているバックハウルメディア（Ｂａｃｋｈａｕｌ  Ｍｅｄｉａ）に基づいて、接続先を選択する（ステップＳ１４０３：接続先選択（ＬＩＰＡ／ＲＩＰＡ））。すなわち、バックハウルメディア（Ｂａｃｋｈａｕｌ  Ｍｅｄｉａ）がローカル通信部２１である場合、切替処理部２６はローカルＩＰアクセス（ＬＩＰＡ）を選択する。バックハウルメディア（Ｂａｃｋｈａｕｌ  Ｍｅｄｉａ）がセルラ通信部（コア網）である場合、切替処理部２６はローカルネットワークへのリモートアクセス（ＲＩＰＡ）を選択する。
【００９９】
続いて、選択した接続先に相当するアクセスポイント名（ＡＰＮ）として、ＬＩＰＡ用のアクセスポイント名（ＡＰＮ）、又はＲＩＰＡ用のアクセスポイント名（ＡＰＮ））は、移動端末１０ａ、１０ｃの接続要求メッセージに付加され（あるいは接続要求メッセージに記載されたアクセスポイント名（ＡＰＮ）に上書きされ）、基地局処理部２５、及びバックハウルメディア（セルラ通信部（コア網）２２又はローカル通信部２１）を介して、ＵＥ−ＭＭＥ  ６０に転送される（ステップＳ１４０５：接続転送要求）。以後、基地局処理部２５が各通信部から受信するメッセージを処理するなど、移動端末（ＵＥ）の接続処理に必要な動作を実施する（ステップＳ１４０７：後続する接続処理実施）。
【０１００】
図１４（ｂ）に示す「ベアラ切替処理」では、切替処理部２６は、バックハウルメディア（Ｂａｃｋｈａｕｌ  Ｍｅｄｉａ）の切替が行われた（あるいは切替が必要であること）を検出すると（ステップＳ１４３１：バックハウル切替検出）、切替処理部２６は、基地局処理部２５の処理モードとして、（１）フェムト基地局として動作するモード、および（２）リレーノードとして動作するモードのうち、いずれか一方のモードを選択して、基地局処理部２５に適用する（ステップＳ１４３３：処理モード変更）。
【０１０１】
続いて、切替処理部２６は、セルラ通信部（コア網）２２又はローカル通信部２１を介して、ベアラ修正要求メッセージを送信するよう基地局処理部２５に指示する。あるいは、切替処理部２６は、セルラ通信部（コア網）２２、ローカル通信部２１、又はセルラ通信部（ＵＥ）２３を介して、ベアラリリース指示を送信するように基地局処理部２５に指示する（ステップＳ１４３５：ベアラ修正要求）。以後、基地局処理部２５が各通信部から受信するメッセージを処理するなど、移動端末１０ａ、１０ｃのベアラに対する更新処理やリリース処理に必要な動作を実施する（ステップＳ１４３７：後続する処理実施）。
【０１０２】
＜ＬＧＷ  ３０の構成と動作＞
本実施の形態におけるＬＧＷ  ３０の構成について図１５を用いて説明する。図１５は、実施の形態２に係るＬＧＷ  ３０の構成を示すブロック図である。図１５に示すＬＧＷ  ３０は、ローカルネットワーク１１０への接続切替を実施するための切替処理部３１と、ローカルネットワーク１１０を介して移動基地局２０とセキュアに通信するための移動基地局通信部３２と、ローカルネットワーク１１０に接続する移動基地局２０やコアネットワーク装置に対してＬＧＷ処理を実行するＬＧＷ処理部３３と、ローカルネットワーク１１０との通信を制御するローカル通信部３４と、を備える。
【０１０３】
図１５に示すＬＧＷ  ３０の動作について、図１６を用いて説明する。図１６は、実施の形態２に係るＬＧＷ  ３０の動作を説明するための図である。移動基地局通信部３２は、ローカル通信部３４を介して、ＲＩＰＡ用のアクセスポイント名（ＡＰＮ）に接続するためのＳＧＷ  ７０から、対象となる移動端末１０ａのベアラコンテキストとともに、ベアラ修正要求メッセージを受信する（ステップＳ１６０１：ベアラ修正要求受信）。
【０１０４】
移動基地局通信部３２は、対象となる移動端末１０ａのベアラコンテキストを修正し（ステップＳ１６０３：ベアラ修正処理）、ローカル通信部３４を介して、ベアラ修正応答メッセージをＳＧＷ  ７０に送信する（ステップＳ１６０５：ベアラ修正応答送信）。
【０１０５】
切替処理部３１は、ＬＧＷ  ３０自身が保持するベアラコンテキスト情報に基づいて、アイドルモードＵＥ  １０ｃを抽出する（ステップＳ１６０７：残りのＵＥ検出）。すなわち、先にベアラ修正処理を実施したアクティブモードＵＥ  １０ａを除いた移動端末１０ｃをアイドルモードＵＥであるとして抽出する。
【０１０６】
切替処理部３１は、抽出したアイドルモードＵＥ  １０ｃに関するベアラコンテキストを修正（例えばＳＧＷアドレスやＧＴＰで使われるＴＥＩＤ（Ｔｕｎｎｅｌ  Ｅｎｄｐｏｉｎｔ  ＩＤ）やＰＭＩＰで使われるＧＲＥ  Ｋｅｙ（Ｇｅｎｅｒｉｃ  Ｒｏｕｔｉｎｇ  Ｅｎｃａｐｓｕｌａｔｉｏｎ  Ｋｅｙ）をＳＧＷによって通知された値に変更したり、ＳＧＷに通知するＴＥＩＤやＧＲＥ  Ｋｅｙの値を設定したりする）するとともに、ＬＧＷ処理部３３を介して、抽出したアイドルモードＵＥ  １０ｃに対するベアラ修正処理をＳＧＷ  ７０に対して実施する（ステップＳ１６０９：ベアラ修正処理起動）。ここでＳＧＷ  ７０は、先にアクティブモードＵＥ  １０ａに対して割り当てられたのと同じＳＧＷである。
【０１０７】
＜ＭＭＥの構成と動作＞
次に、実施の形態２に係るＵＥ−ＭＭＥ  ６０の構成について図１７を用いて説明する。図１７は、実施の形態２に係るＵＥ−ＭＭＥ  ６０の構成を示すブロック図である。図１７に示すＵＥ−ＭＭＥ  ６０は、ＭＭＥ処理を実施するためのＭＭＥ処理部６１と、移動基地局２０やＳＧＷ  ７０などのコアネットワーク装置とメッセージの送受信を行うための通信部６３と、を備える。
【０１０８】
図１７に示すＵＥ−ＭＭＥ  ６０の動作について図１８を参照して説明する。図１８は、実施の形態２に係るＵＥ−ＭＭＥ  ６０の動作を説明するための図である。
【０１０９】
ＵＥ−ＭＭＥ  ６０は、通信部６３を介して、移動基地局２０から転送されたベアラ修正要求メッセージを受信し、ＭＭＥ処理部６１が、移動端末（ＵＥ）の接続経路が変更されているか否かを判断する（ステップＳ１８０１：接続経路変更？）。接続経路が変更されている判断された場合（Ｙｅｓの場合）、ＭＭＥ処理部６１は、変更後のアクセスポイント名（ＡＰＮ）に接続するためのＳＧＷ  ７０を選択する（ステップＳ１８０３：ＳＧＷ選択）。ここで、ＬＩＰＡ接続時にコアネットワークのＳＧＷ  ７０が割り当てられるような場合は、同じＳＧＷを用いてもよく、これによってＵＥ−ＭＭＥ  ６０におけるＳＧＷ選択に伴う処理負荷を低減することができる。接続経路が変更されていないと判断された場合（Ｎｏの場合）、ステップＳ１８０５へ遷移する。そして、ＭＭＥ処理部６１は、ＬＧＷ  ３０のコンタクトアドレスなどを付加したベアラ修正要求メッセージを選択したＳＧＷ  ７０に送信する（ステップＳ１８０５：ベアラ修正要求メッセージ送信）。以後、移動端末（ＵＥ）の接続処理に必要な動作を実施する（ステップＳ１８０７：後続する接続処理実施）。
【０１１０】
（実施の形態３）
実施の形態３に係る通信システムでは、ＬＧＷ  ３０が移動基地局２０の移動を検出し、移動基地局２０が収容する移動端末（ＵＥ）のＬＩＰＡコネクションをＲＩＰＡコネクションに切り替える方法について説明する。本実施の形態に係る通信システムによれば、移動基地局の接続形態に応じて移動端末のローカルネットワークへの接続経路を直接接続かリモート接続のいずれかに切り替え、移動端末の最適な通信経路を確立させることができる。
【０１１１】
＜通信システム構成＞
図１９は、実施の形態３に係る通信システム構成を示す図である。ここで、図１９に示す通信システムが、図１に示す通信システムと異なる点は、移動基地局２０が収容する移動端末１０ａ、１０ｃのうち、移動端末１０ａはアクティブモードＵＥであり、移動端末１０ｃは、アイドルモードＵＥである。この点以外は実施の形態１と同様であり、図１９において、図１と共通する構成要素には同じ参照符号が付されている。
【０１１２】
図１９では、移動基地局２０がローカルネットワーク１１０に直接接続している。また、移動端末１０ａ、１０ｃは、移動基地局２０とＬＧＷ  ３０を介してローカルネットワーク１１０にＬＩＰＡ接続される。ＵＥ−ＭＭＥ  ６０は、コアネットワーク１４０に接続され、移動端末１０ａ、１０ｃの状態及び移動管理を実施する。
【０１１３】
以後、本実施の形態において、便宜上、アクティブモードである移動端末１０ａを、アクティブモードＵＥ  １０ａと呼び、アイドルモードである移動端末１０ｃを、アイドルモードＵＥ  １０ｃと呼ぶ場合がある。
【０１１４】
図２０は、実施の形態３に係る通信システムの一状態を示す図であり、移動基地局２０がローカルネットワーク１１０から離脱して、マクロＲＡＮ  １３０のマクロｅＮＢ  ４０に接続した時の通信システムの状態を示すものである。図２０に示す通信システムの一状態が、図２に示す通信システムの一状態と異なる点は、アクティブモードＵＥ  １０ａとアイドルモードＵＥ  １０ｃとが混在する点である。この点以外は実施の形態１と同様であり、図２０において、図２と共通する構成要素には同じ参照符号が付されている。
【０１１５】
＜システム動作＞
図１９、図２０に示す通信システムの動作について、図２１及び図２２を用いて説明する。図２１は、実施の形態３に係る移動端末１０ａ、１０ｃの接続シーケンス図である。
【０１１６】
図２１に示すように、移動端末１０ａ、１０ｃの接続に先立ち、移動基地局２０は、ローカルネットワーク１１０及びプロバイダネットワーク１２０を経由して、コアネットワーク１４０への接続性を確保する（ステップＳ２１０１：コアＮＷへの接続完了）。具体的には、移動基地局２０は、ＰＰＰｏＥなどのプロトコルを用いてコアネットワーク１４０へのセキュアコネクションを確立する。
【０１１７】
続いて、移動端末１０ａが接続処理を開始する。移動端末１０ａが接続要求を移動基地局２０に送信すると、移動基地局２０がその接続要求をＵＥ−ＭＭＥ  ６０に転送し、以後ＴＲ２３．８２９に開示される初期接続手順にもとづいて処理が行われ（ステップＳ２１０２〜Ｓ２１０４：接続処理）、移動端末１０ａとＬＧＷ  ３０との間にＬＩＰＡのための通信コネクション（例えば、ＰＤＮコネクションやＰＤＰコンテキスト）が確立される。移動端末１０ａと同様に、移動端末１０ｃは、移動端末１０ｃとＬＧＷ  ３０との間にＬＩＰＡのための通信コネクションを確立する（ステップＳ２１０６〜Ｓ２１０８：接続処理）。
【０１１８】
さらに、図２１に示す接続シーケンスでは、移動端末１０ｃがＬＩＰＡ用コネクションを確立後、アイドルモードに遷移することを想定する（ステップＳ２１１０：アイドルモードに遷移）。これにより、移動基地局２０の配下の移動端末１０ｃに関するベアラコンテキストが削除される。
【０１１９】
図２２は、実施の形態３に係るローカルネットワーク接続の切替シーケンス図であり、特に、移動基地局２０、および移動端末１０ａ、１０ｃを含むローカルＲＡＮ  １００が移動して、マクロｅＮＢ  ４０に収容された時の、ローカルネットワーク接続の切替シーケンスについて説明する。
【０１２０】
図２２に示すように、移動基地局２０がバックハウル（Ｂａｃｋｈａｕｌ）をセルラ回線に切り替えて（ステップＳ２２０１：バックハウル切替）、マクロ  ｅＮＢ４０、及びＲＮ−ＭＭＥ  ５０とコネクションを確立する（ステップＳ２２０２、Ｓ２２０３：接続処理、及びステップＳ２２０４：コネクション確立）。
【０１２１】
ここで、本実施の形態に係る通信システムでは、移動基地局２０が収容する移動端末１０ａ、１０ｃが接続する、ＵＥ−ＭＭＥ  ６０へのインタフェースが、移動基地局２０及びＵＥ−ＭＭＥ  ６０間で更新される（ステップＳ２２０５：Ｓ１−ＡＰ更新処理）。なお、移動基地局２０が収容する移動端末１０ａ、１０ｃが接続するＵＥ−ＭＭＥ  ６０へのインタフェースは、ＴＳ２３．４０１ではＳ１−ＡＰとして開示されている。これにより、コアネットワーク装置で起動されるベアラ更新処理に関するメッセージを移動基地局２０が受信できるようになる。
【０１２２】
一方、移動基地局２０のバックハウル切替を、移動基地局２０のローカルネットワークからの離脱したＬＧＷ  ３０が検出する（ステップＳ２２０７：移動基地局離脱検出）。例えば、移動端末ＵＥ１０ａ、１０ｃがＬＩＰＡコネクションを確立した時から定期的に移動基地局２０に生存確認パケット（例えばｐｉｎｇ  ｒｅｑｕｅｓｔなど）を送信し、応答受信をＬＧＷ  ３０が管理する。すなわち、移動基地局２０がローカルネットワーク１１０に接続している間は、ＬＧＷ  ３０からの生存確認パケットに応答するが、バックハウル（Ｂａｃｋｈａｕｌ）をセルラ回線に切り替えた時点で応答が途絶えるため、ＬＧＷ  ３０は応答が途絶えた時に移動基地局２０のローカルネットワークからの離脱を検出する。
【０１２３】
移動基地局２０の離脱を検出したＬＧＷ  ３０は、移動基地局２０を経て、ＬＩＰＡコネクションを確立した移動端末１０ａ、１０ｃを抽出する（ステップＳ２２０９：対象ＵＥ抽出）。例えば、移動端末１０ａ、１０ｃがＬＩＰＡコネクションを確立する際に、ＬＧＷ  ３０が移動端末１０ａ、１０ｃを収容する移動基地局２０のセルＩＤや基地局ＩＤ、ＣＳＧ  ＩＤ、位置登録エリアＩＤなどのいずれか（あるいは複数の組み合わせ）を収集し、離脱を検出した移動基地局２０が有するいずれかのＩＤ（あるいは複数ＩＤの組み合わせ）と一致する移動端末（ＵＥ）を対象となる移動端末（ＵＥ）とする。
【０１２４】
なお、ＬＧＷ  ３０が移動端末１０ａ、１０ｃを収容する移動基地局２０のセルＩＤや基地局ＩＤ、ＣＳＧ  ＩＤ、位置登録エリアＩＤなどのいずれか（あるいは複数の組み合わせ）を収集する方法として、例えば、（１）移動端末１０ａ、１０ｃがＬＧＷ  ３０に送信するメッセージに移動基地局２０のセルＩＤや基地局ＩＤ、ＣＳＧ  ＩＤ、位置登録エリアＩＤを含める、又は（２）移動基地局２０がＬＧＷ  ３０に送信するメッセージに移動基地局２０のセルＩＤや基地局ＩＤ、ＣＳＧ  ＩＤ、位置登録エリアＩＤを含める、と言った方法がある。
【０１２５】
続いて、ＬＧＷ  ３０は、抽出した移動端末１０ａ、１０ｃのベアラ更新を実施するため、メッセージの送り先となるＳＧＷ  ７０を選択して割り当てる（ステップＳ２２１１：ＳＧＷ選択）。なお、ＬＩＰＡコネクション確立時に、既にＳＧＷ  ７０が割り当てられている場合、そのＳＧＷ  ７０を利用する。すなわち、ＬＧＷ  ３０は、「ＳＧＷ選択」処理を割愛してもよい。また、ＬＩＰＡ接続時に既にコアネットワークのＳＧＷが指定されるような場合、ＬＧＷ  ３０は、「ＳＧＷ選択」処理において割り当て済みのＳＧＷ  ７０を、あらためて選択してもよい。
【０１２６】
また、ＬＧＷ  ３０は、「ＳＧＷ選択」処理を実施するのではなく、ＵＥ−ＭＭＥ  ６０が「ＳＧＷ選択」処理実施してもよい。例えば、図示していないコアネットワーク装置であるＰＣＲＦ（Ｐｏｌｉｃｙ  ａｎｄ  Ｃｈａｒｇｉｎｇ  Ｒｕｌｅｓ  Ｆｕｎｃｔｉｏｎ）を経由して、ＬＧＷ  ３０がＵＥ−ＭＭＥ  ６０に「ＳＧＷ選択」処理の実施を指示するメッセージを送信してもよい。これにより、ＵＥ−ＭＭＥ  ６０は、既に実装されたＳＧＷ選択機能を活用でき、ＬＧＷ装置コストの低減を図ることができる。ＵＥ−ＭＭＥ６０が選択したＳＧＷ  ７０に関する情報（例えばコンタクトアドレスなど）は、ＰＣＲＦ経由でＬＧＷ  ３０に通知される。または、後続するベアラ修正処理をＵＥ−ＭＭＥ  ６０が実施してもよい。
【０１２７】
ＬＩＰＡコネクションをＲＩＰＡコネクションに切り替える際の中継ゲートウェイとなるＳＧＷ  ７０を決定したＬＧＷ  ３０は、ＳＧＷ  ７０にベアラ修正要求メッセージを送信する（ステップＳ２２１３：ベアラ修正要求）。
【０１２８】
なお、ＬＧＷ  ３０は、ベアラ修正要求メッセージをベアラ毎に発行してもよい。また、ＬＧＷ  ３０は、ベアラ修正要求メッセージを移動端末毎に、又はＰＤＮコネクション／ＰＤＰコンテキスト毎に発行してもよい。さらには、ＬＧＷ  ３０は、ベアラ修正要求メッセージを全ベアラに対して一括で発行してもよい、これによりＬＧＷ  ３０は、シグナリングトラフィックの低減を図ることができる。
【０１２９】
ＳＧＷ  ７０は、ベアラ修正要求の対象となる移動端末１０ａ（アクティブモード）および１０ｃ（アイドルモード）のベアラコンテキストを生成し、ベアラ修正要求メッセージをＵＥ−ＭＭＥ  ６０に送信する（ステップＳ２２１５：ベアラ修正要求）。
【０１３０】
ＵＥ−ＭＭＥ  ６０は、受信したベアラ修正要求メッセージに基づいて、ＵＥ−ＭＭＥ  ６０が保持する移動端末１０ａ、１０ｃのベアラコンテキストを更新し（例えばＳＧＷのコンタクトアドレスなどを更新）、移動端末１０ａ、１０ｃのコンテキストに記録されている状態から、アクティブモード及びアイドルモードのうちいずれかのモードを検出する。そして、ＵＥ−ＭＭＥ  ６０は、アクティブモードＵＥ１０ａに限り、移動基地局２０にベアラ修正要求を送信する（ステップＳ２２１７：ベアラ修正要求（ａｃｔｉｖｅ  ＵＥのみ））。すなわち、ＵＥ−ＭＭＥ  ６０は、アクティブモードＵＥ  １０ａのベアラに対するベアラ修正要求メッセージを移動基地局２０へ送信し、アイドルモードＵＥ  １０ｃのベアラに対するベアラ修正要求メッセージを移動基地局２０に送信しない。これにより、ＵＥ−ＭＭＥ  ６０は、移動端末１０ｃのアイドルモードを継続させることができ、移動端末１０ｃのバッテリ消費を低減させることができる。
【０１３１】
移動基地局２０は、受信したベアラ修正応答メッセージに基づいて、アクティブモードである移動端末１０ａの無線ベアラ（特にＱｏＳパラメータなど）を更新するベアラ修正処理を実施する（ステップＳ２２１９：ベアラ修正処理）。そして、ベアラコンテキストの生成／更新が完了すると、移動基地局２０は、ベアラ修正応答メッセージをＵＥ−ＭＭＥ  ６０に送信する（ステップＳ２２２１：ベアラ修正応答）。
【０１３２】
ＵＥ−ＭＭＥ  ６０は、移動端末１０ａ、１０ｃの状態（アイドルモード、アクティブモード）、その他のコンテキスト情報を含むベアラ修正応答をＳＧＷ  ７０に送信し、ＳＧＷ  ７０が自身のコンテキストデータに受信したコンテキスト情報を反映する（ステップＳ２２２３：ベアラ修正応答）。この中で、ＵＥ−ＭＭＥ  ６０は、アクティブモードＵＥ  １０ａのＳ１ベアラ（移動基地局２０とＳＧＷ  ７０間のベアラであり、ＵＥのベアラの一部を構成する）を更新するために、移動基地局２０のアドレスやＴＥＩＤなどの情報をＳＧＷ  ７０に通知し、ＳＧＷ  ７０がアクティブモードＵＥ  １０ａのベアラコンテキストを更新（修正）する。アイドルモードＵＥ  １０ｃのベアラについては、こうしたＳ１ベアラの更新作業は実施しない。さらにＳＧＷ  ７０は、ベアラ修正応答メッセージをＬＧＷ  ３０に転送し（ステップＳ２２２５：ベアラ修正応答）、ＬＧＷ  ３０が自身のコンテキストデータを更新してベアラ修正処理を完了する。
【０１３３】
後に移動端末１０ｃがアイドルモードから復帰する際に実施するサービスリクエスト処理の中で、無線ベアラを含む通信コネクション全体の再構築（主にＱｏＳパラメータの再構築）を実施する（ステップＳ２２２７：サービスリクエスト処理、ステップＳ２２２９：ベアラ修正処理）。
【０１３４】
＜ＬＧＷ動作＞
次に実施の形態３に係るＬＧＷ  ３０の動作について、図２３を用いて説明する。図２３は、実施の形態３に係るＬＧＷ  ３０の動作を説明するための図である。なお、本実施の形態におけるＬＧＷ  ３０の構成は、図１５に示す実施の形態２に係るＬＧＷ  ３０と同じ構成であるため、その詳細な説明を省略する。
【０１３５】
図２３に示すように、移動基地局通信部３２は、ローカル通信部３４を介して、移動基地局２０のローカルネットワークからの離脱を検出する（ステップＳ２３０１：移動基地局の離脱検出）。
【０１３６】
切替処理部３１は、移動基地局２０を経て、ＬＩＰＡコネクションを確立した移動端末１０ａ、１０ｃを抽出する（ステップＳ２３０３：対象ＵＥ抽出）。例えば、移動端末１０ａ、１０ｃがＬＩＰＡコネクションを確立する際に、ＬＧＷ  ３０が、ローカル通信部３４を介して、移動端末１０ａ、１０ｃを収容する移動基地局２０のセルＩＤや基地局ＩＤ、ＣＳＧ  ＩＤ、位置登録エリアＩＤなどのいずれか（あるいは複数の組み合わせ）を収集し、離脱を検出した移動基地局２０が有するいずれかのＩＤ（あるいは複数ＩＤの組み合わせ）と一致する移動端末（ＵＥ）を対象となる移動端末（ＵＥ）とする。
【０１３７】
切替処理部３１は、抽出した移動端末１０ａ、１０ｃのベアラ更新を実施するため、メッセージの送り先となるＳＧＷ  ７０を選択して割り当てる（ステップＳ２３０５：ＳＧＷ選択）。なお、ＬＩＰＡコネクション確立時に、既にＳＧＷ  ７０が割り当てられている場合、そのＳＧＷ  ７０を利用する。
【０１３８】
移動基地局通信部３２は、ローカル通信部３４を介して、ＬＩＰＡコネクションをＲＩＰＡコネクションに切り替える際の中継ゲートウェイとなるＳＧＷ  ７０にベアラ修正要求メッセージを送信する（ステップＳ２３０７：ベアラ修正要求送信）。
【０１３９】
移動基地局通信部３２は、ローカル通信部３４を介して、ＵＥ−ＭＭＥ  ６０から、移動端末１０ａ、１０ｃの状態（アイドルモード、アクティブモード）、その他のコンテキスト情報を含むベアラ修正応答を受信する（ステップＳ２３０９：ベアラ修正応答受信）。そして、図２３に示す「ベアラ切替処理」は終了する。
【０１４０】
＜ＭＭＥ動作＞
次に本実施の形態におけるＵＥ−ＭＭＥ  ６０の動作について、図２４（ａ）、（ｂ）を用いて説明する。実施の形態３に係るＵＥ−ＭＭＥ  ６０の「ベアラ修正要求受信処理」フロー（１）なお、ＵＥ−ＭＭＥ  ６０の構成は、図１７に示す実施の形態２に係るＵＥ−ＭＭＥ  ６０と同じ構成であるため、その詳細な説明を省略する。
【０１４１】
図２４（ａ）に示すように、ＭＭＥ処理部６１は、通信部６３を介して、ＳＧＷ  ７０から受信したベアラ修正要求メッセージが、アイドルモードの移動端末向けのものかどうか判定する（ステップＳ２４０１：Ｉｄｌｅ  ＵＥ向け修正要求？）。そして、ベアラ修正要求メッセージが、アイドルモードの移動端末向けのものである場合（Ｙｅｓの場合）、ステップＳ２４０５へ遷移し、そうでない場合（Ｎｏの場合）、ステップＳ２４０３へ遷移する。
【０１４２】
ベアラ修正要求メッセージが、アイドルモードの移動端末向けのものでない場合、ＭＭＥ処理部６１は、保持するＳ１ベアラ及びＳ５／Ｓ８ベアラのコンテキストを更新する処理を実施する（ステップＳ２４０３：Ｓ１ベアラ更新、およびステップＳ２４０５：Ｓ５／Ｓ８ベアラ更新）。
【０１４３】
ベアラ修正要求メッセージが、アイドルモードの移動端末向けのものである場合、ＭＭＥ処理部６１は、保持するＳ５／Ｓ８ベアラのコンテキストを更新する（ステップＳ２４０５：Ｓ５／Ｓ８ベアラ更新）。すなわちＳ１ベアラの更新は実施しない。
【０１４４】
ＭＭＥ処理部６１は、通信部６３を介して、アクティブモードＵＥ  １０ａの無線ベアラ（特にＱｏＳパラメータなど）を更新するために、アクティブモードＵＥ  １０ａのベアラに対するベアラ修正要求メッセージを移動基地局２０に送信する。そして、ベアラ修正要求受信処理フロー（１）は終了する。
【０１４５】
図２４（ｂ）に示すように、ＭＭＥ処理部６１は、通信部６３を介して、コアネットワーク装置ＰＣＲＦを経由してＬＧＷ  ３０と通信し、ＬＩＰＡコネクションが確立された移動端末１０ａ、１０ｃを抽出する。（ステップＳ２４３１：対象ＵＥ抽出）。
【０１４６】
ＭＭＥ処理部６１は、抽出された移動端末１０ａ、１０ｃがアイドルモードの移動端末であるかどうか判定する（ステップ２４３３：Ｉｄｌｅ  ＵＥ？）。抽出された移動端末１０ａ、１０ｃがアイドルモードの移動端末である場合（Ｙｅｓの場合）、ステップＳ２４３７へ遷移し、抽出された移動端末１０ａ、１０ｃがアイドルモードの移動端末でない場合、ステップＳ２４３５へ遷移する。
【０１４７】
抽出された移動端末１０ａ、１０ｃがアイドルモードの移動端末でない場合、ＭＭＥ処理部６１は、保持するＳ１ベアラ及びＳ５／Ｓ８ベアラのコンテキストを更新する（ステップＳ２４３５：Ｓ１ベアラ更新、およびステップＳ２４３７：Ｓ５／Ｓ８ベアラ更新）。
【０１４８】
抽出された移動端末１０ａ、１０ｃがアイドルモードの移動端末である場合、、ＭＭＥ処理部６１は、保持するＳ５／Ｓ８ベアラのコンテキストを更新する（ステップＳ２４３７：Ｓ５／Ｓ８ベアラ更新）。
【０１４９】
ＭＭＥ処理部６１は、通信部６３を介して、アクティブモードＵＥ  １０ａの無線ベアラ（特にＱｏＳパラメータなど）を更新するために、アクティブモードＵＥ  １０ａのベアラに対するベアラ修正要求メッセージを移動基地局２０に送信する（ステップＳ２４３９）。そして、ベアラ修正要求受信処理フロー（２）は終了する。
【０１５０】
なお、ステップＳ２４３３〜ステップＳ２４３７に示す各処理は、抽出されたすべての移動端末１０ａ、１０ｃに対して実施される。
【０１５１】
（実施の形態４）
実施の形態４に係る通信システムでは、移動基地局２０が、バックハウル（Ｂａｃｋｈａｕｌ）の切替を検出した時にＣＳＧ  ＩＤやセルＩＤ、基地局ＩＤ、位置登録エリアＩＤなどの移動基地局２０に関する情報（移動基地局２０を特定する情報）を通知し、ＵＥ−ＭＭＥ  ６０が、切替対象となる移動端末（ＵＥ）を検出し、移動端末１０ａ、１０ｃにＲＩＰＡコネクションへの再接続を実施させる。そのため、本実施の形態に係る通信システムによれば、移動基地局の接続形態に応じて移動端末のローカルネットワークへの接続経路を直接接続かリモート接続のいずれかに切り替え、移動端末の最適な通信経路を確立させることができる。
【０１５２】
＜通信システムの構成＞
図２５は、本発明による実施の形態４に係る通信システム構成を示す図である。ここで、図２５に示す通信システムが、図１に示す通信システムと異なる点は、移動基地局２０が収容する移動端末１０ａ、１０ｃのうち、移動端末１０ａはアクティブモードＵＥであり、移動端末１０ｃは、アイドルモードＵＥである。この点以外は実施の形態１と同様であり、図２５において、図１と共通する構成要素には同じ参照符号が付されている。
【０１５３】
図２５では、移動基地局２０がローカルネットワーク１１０に直接接続している。また、移動端末１０ａ、１０ｃは、移動基地局２０とＬＧＷ  ３０を介してローカルネットワーク１１０にＬＩＰＡ接続される。ＵＥ−ＭＭＥ  ６０は、コアネットワーク１４０に接続され、移動端末１０ａ、１０ｃの状態及び移動管理を実施する。
【０１５４】
以後、本実施の形態において、便宜上、アクティブモードである移動端末１０ａを、アクティブモードＵＥ  １０ａと呼び、アイドルモードである移動端末１０ｃを、アイドルモードＵＥ  １０ｃと呼ぶ場合がある。
【０１５５】
図２６は、実施の形態４に係る通信システムの一状態を示す図であり、特に、移動基地局２０がローカルネットワーク１１０から離脱して、マクロＲＡＮ  １３０のマクロｅＮＢ  ４０に接続した時の通信システムの一状態を示す。図２６に示す通信システムが、図２に示す通信システムと異なる点は、アクティブモードＵＥ  １０ａとアイドルモードＵＥ  １０ｃとが混在する点である。この点以外は実施の形態１と同様であり、図２６において、図２と共通する構成要素には同じ参照符号が付されている。
【０１５６】
＜システム動作＞
図２５、図２６に示す通信システムの動作について、図２７及び図２８を用いて説明する。図２７は実施の形態４に係る移動端末１０ａ、１０ｃの接続シーケンス図である。
【０１５７】
図２７に示すように、移動端末１０ａ、１０ｃの接続に先立ち、移動基地局２０は、ローカルネットワーク１１０及びプロバイダネットワーク１２０を経由して、コアネットワーク１４０への接続性を確保する（ステップＳ２７０１：コアＮＷへの接続完了）。具体的には、移動基地局２０は、ＰＰＰｏＥなどのプロトコルを用いてコアネットワーク１４０へのセキュアコネクションを確立する。
【０１５８】
続いて、移動端末１０ａが接続処理を開始する。移動端末１０ａが接続要求を移動基地局２０に送信すると、移動基地局２０がその接続要求をＵＥ−ＭＭＥ  ６０に転送し、以後ＴＲ２３．８２９に開示される初期接続手順にもとづいて処理が行われ（ステップＳ２７０２〜Ｓ２７０４：接続処理）、移動端末１０ａとＬＧＷ  ３０との間にＬＩＰＡのための通信コネクション（例えば、ＰＤＮコネクションやＰＤＰコンテキスト）が確立される（Ｓ２７０５：コネクション確立）。移動端末１０ａと同様に、移動端末１０ｃは、移動端末１０ｃとＬＧＷ  ３０との間にＬＩＰＡのための通信コネクションを確立する（ステップＳ２７０６〜Ｓ２７０８：接続処理、Ｓ２７０９；コネクション確立）。
【０１５９】
さらに、図２７に示す接続シーケンスでは、移動端末１０ｃがＬＩＰＡ用コネクションを確立後、アイドルモードに遷移することを想定する（ステップＳ２７１０：アイドルモードに遷移）。これにより、移動基地局２０の配下の移動端末１０ｃに関するベアラコンテキストが削除される。
【０１６０】
図２８は、実施の形態４に係るローカルネットワーク接続の切替シーケンス図であり、特に、移動基地局２０、および移動端末１０ａ、１０ｃを含むローカルＲＡＮ  １００が移動して、マクロｅＮＢ  ４０に収容された時の、ローカルネットワーク接続の切替シーケンスを示す。
【０１６１】
図２８に示すように、移動基地局２０がバックハウル（Ｂａｃｋｈａｕｌ）をセルラ回線に切り替えて（ステップＳ２８０１：バックハウル切替）、マクロ  ｅＮＢ４０、及びＲＮ−ＭＭＥ  ５０とコネクションを確立する（ステップＳ２８０２、Ｓ２８０３：接続処理、及びステップＳ２８０４：コネクション確立）。
【０１６２】
ここで、本実施の形態に係る通信システムでは、移動基地局２０は、配下の移動端末１０ａ、１０ｃが確立したベアラ（ＥＰＳベアラ、ＰＤＮコネクション、ＰＤＰコンテキスト、ラジオベアラなど全てのベアラ）をリリースさせるためのベアラリリース指示メッセージをＵＥ−ＭＭＥ  ６０に送信する（ステップＳ２８０６：ベアラリリース指示）。このとき、ベアラリリース指示メッセージには、移動基地局２０を識別するための識別情報として、セルＩＤや基地局ＩＤ、ＣＳＧ  ＩＤ、位置登録エリアＩＤ（例えばＴｒａｃｋｉｎｇ  Ａｒｅａ  ＩＤ、Ｌｏｃａｔｉｏｎ  Ａｒｅａ  ＩＤ、Ｒｏｕｔｉｎｇ  Ａｒｅａ  ＩＤ）のいずれか（あるいは複数の組み合わせ）が含まれる。
【０１６３】
ＵＥ−ＭＭＥ  ６０は、ベアラリリース指示メッセージに含まれる移動基地局２０を識別するための識別情報に基づき、移動基地局２０経由で、ＬＩＰＡコネクションを確立した移動端末１０ａ、１０ｃを抽出する。例えば、移動端末１０ａ、１０ｃがＬＩＰＡコネクションを確立する際に、移動端末１０ａ、１０ｃを収容する移動基地局２０のセルＩＤや基地局ＩＤ、ＣＳＧ  ＩＤ、位置登録ＩＤなどのいずれか（あるいは複数の組み合わせ）をＵＥ−ＭＭＥ  ６０が収集しておき、移動基地局２０から受信したベアラリリース指示メッセージに含まれる識別子と一致する移動基地局２０からＬＩＰＡコネクションを確立した移動端末１０ａ、１０ｃを抽出する。
【０１６４】
ここで、ＵＥ−ＭＭＥ  ６０が、移動端末１０ａ、１０ｃを収容する移動基地局２０のセルＩＤや基地局ＩＤ、ＣＳＧ  ＩＤ、位置登録ＩＤなどのいずれか（あるいは複数の組み合わせ）をＵＥ−ＭＭＥ  ６０が収集する方法として、例えば、移動端末１０ａ、１０ｃがＵＥ−ＭＭＥ  ６０に送信するメッセージに含めてもよいし、移動基地局２０がＵＥ−ＭＭＥ  ６０に送信するメッセージに含めてもよい。
【０１６５】
ＵＥ−ＭＭＥ  ６０は、抽出した移動端末１０ａ、１０ｃが確立したＬＩＰＡコネクションに対するベアラ削除指示を、ＬＧＷ  ３０に送信する（ステップＳ２８０７：ベアラ削除指示）。
【０１６６】
なお、ＵＥ−ＭＭＥ  ６０は、ベアラ修正要求メッセージをベアラ毎に発行してもよい。また、ＵＥ−ＭＭＥ  ６０は、ベアラ修正要求メッセージを移動端末毎に、又はＰＤＮコネクション／ＰＤＰコンテキスト毎に発行してもよい。さらには、ＵＥ−ＭＭＥ  ６０は、ベアラ修正要求メッセージを全ベアラに対して一括で発行してもよい、これによりＵＥ−ＭＭＥ  ６０は、シグナリングトラフィックの低減を図ることができる。
【０１６７】
ＬＧＷ  ３０は、指示されたベアラに対するコンテキストをリリースし、ベアラ削除要求をＵＥ−ＭＭＥ  ６０に送信する（ステップＳ２８０８：ベアラ削除要求）。
【０１６８】
ＵＥ−ＭＭＥ  ６０は、ベアラ削除要求を移動基地局２０に送信する（ステップＳ２８０９：ベアラ削除要求）。
【０１６９】
移動基地局２０は、移動端末１０ａ、１０ｃに、指定されたベアラに対するベアラリリース処理を実施する（ステップＳ２８１０、Ｓ２８１１：ベアラリリース処理）。ここで、対象となるベアラは先にＵＥ−ＭＭＥ  ６０が抽出した、移動基地局２０が収容する移動端末１０ａ、１０ｃのベアラであり、アクティブモードＵＥ  １０ａのベアラ、及びアイドルモードＵＥ  １０ｃのベアラも、ベアラリリース処理の対象となる。
【０１７０】
移動基地局２０及び移動端末１０ａ、１０ｃにおけるベアラリリース処理を完了すると、移動基地局２０は、ベアラ削除応答メッセージをＵＥ−ＭＭＥ  ６０に送信する（ステップＳ２８１２）。
【０１７１】
ＵＥ−ＭＭＥ  ６０は、対象となるベアラのコンテキストをリリースした後にベアラ削除応答メッセージをＬＧＷ  ３０に送信し（ステップＳ２８１３：ベアラ削除応答）、ベアラリリース処理を完了する。なお、移動端末１０ａ、１０ｃのＬＩＰＡコネクションにＳＧＷ  ７０が割り当てられている場合、ＵＥ−ＭＭＥ  ６０とＬＧＷ  ３０との間のベアラ削除処理にＳＧＷ  ７０も関与する。
【０１７２】
ＬＩＰＡコネクションを構成するベアラをリリースされた移動端末１０ａ、１０ｃは、再接続処理を実施する（ステップＳ２８１７、Ｓ２８１８：接続処理）。このとき、移動端末１０ａ、１０ｃは、ＬＩＰＡ用のアクセスポイント名（ＡＰＮ）を指定して再接続を実施する。
【０１７３】
移動端末１０ａ、１０ｃからの再接続を受けて、移動基地局２０が、（１）ＲＩＰＡ用のアクセスポイント名（ＡＰＮ）に書き換える、（２）又は移動端末１０ａ、１０ｃからの接続要求メッセージにＲＩＰＡ用のアクセスポイント名（ＡＰＮ）への切り替えを指示する情報を付加して（例えば、ＲＩＰＡ用のアクセスポイント名（ＡＰＮ）と切り替え指示フラグ、またはＲＩＰＡ用のアクセスポイント名（ＡＰＮ）のみ）、ＵＥ−ＭＭＥ  ６０に移動端末１０ａ、１０ｃの再接続処理を継続させる。これを受けてＵＥ−ＭＭＥ６０は、ＲＩＰＡ用ＡＰＮへの接続、すなわちＬＧＷ  ３０に接続させるためのＳＧＷ  ７０を選択して割り当て、ＲＩＰＡ用コネクションを確立する（ステップＳ２８１９、Ｓ２８２０：コネクション確立）。
【０１７４】
なお、移動基地局２０は、ベアラリリース処理の中でＲＩＰＡ用のアクセスポイント名（ＡＰＮ）を通知しても良く、ＲＩＰＡ用のアクセスポイント名（ＡＰＮ）への接続を促す情報（例えばフラグなど）を、移動端末１０ａ、１０ｃに通知してもよい。これを受けて、移動端末１０ａ、１０ｃは、ＲＩＰＡ用のアクセスポイント名（ＡＰＮ）を指定して、再接続処理を実施する。これにより、移動基地局２０が、（１）移動端末１０ａ、１０ｃからの接続要求メッセージを逐一チェックして、ＲＩＰＡ用のアクセスポイント名（ＡＰＮ）に置き換える、又は（２）ＲＩＰＡ用のアクセスポイント名（ＡＰＮ）への切り替えをＵＥ−ＭＭＥ  ６０に指示する、負担を軽減することができる。これは、特に、移動端末（ＵＥ）を複数収容するような本実施の形態に係る通信システムにおいて、その負荷を低減させるのに有効な手段である。
【０１７５】
＜移動基地局の動作＞
本実施の形態に係る移動基地局２０の動作について、図２９（ａ）、（ｂ）を用いて説明する。図２９（ａ）は、実施の形態４に係る移動基地局２０の「ＵＥ接続処理」フロー図であり、特に、移動端末（ＵＥ）によるローカルネットワークへの接続処理を示す。また、図２９（ｂ）は、実施の形態４に係る移動基地局２０の「ベアラ切替処理」フロー図であり、特に、移動端末（ＵＥ）のベアラ切替を示す。なお、本実施の形態に係る移動基地局２０の構成は、図６に示す実施の形態１に係る移動基地局の構成と同じであるため、その詳細な説明を省略する。
【０１７６】
図２９（ａ）に示す「ＵＥ接続処理」において、基地局処理部２５がセルラ通信部（ＵＥ）２３を介して移動端末（ＵＥ）からの接続要求を受信すると（ステップＳ２９０１：接続要求受信）、基地局処理部２５が切替処理部２６にその旨を通知する。
【０１７７】
切替処理部２６は、基地局処理部２５から通知を受けた時に利用しているバックハウルメディア（Ｂａｃｋｈａｕｌ  Ｍｅｄｉａ）に基づいて、接続先を選択する（ステップＳ２９０３：接続先選択）。すなわち、バックハウルメディア（Ｂａｃｋｈａｕｌ  Ｍｅｄｉａ）がローカル通信部２１である場合、切替処理部２６はローカルＩＰアクセス（ＬＩＰＡ）を選択する。バックハウルメディア（Ｂａｃｋｈａｕｌ  Ｍｅｄｉａ）がセルラ通信部（コア網）２２である場合、切替処理部２６はローカルネットワークへのリモートアクセス（ＲＩＰＡ）を選択する。
【０１７８】
続いて、選択した接続先に相当するアクセスポイント名（ＡＰＮ）として、ＬＩＰＡ用のアクセスポイント名（ＡＰＮ）、又はＲＩＰＡ用のアクセスポイント名（ＡＰＮ））は、移動端末１０ａ、１０ｃの接続要求メッセージに付加され（あるいは接続要求メッセージに記載されたアクセスポイント名（ＡＰＮ）に上書きされ）、基地局処理部２５、及びバックハウルメディア（セルラ通信部（コア網）２２又はローカル通信部２１）を介して、ＵＥ−ＭＭＥ  ６０に転送される（ステップＳ２９０５：接続転送要求）。以後、基地局処理部２５が各通信部から受信するメッセージを処理するなど、移動端末（ＵＥ）の接続処理に必要な動作を実施する（ステップＳ２９０７：後続する接続処理実施）。
【０１７９】
図２９（ｂ）に示す「ベアラ切替処理」では、切替処理部２６は、バックハウルメディア（Ｂａｃｋｈａｕｌ  Ｍｅｄｉａ）の切替が行われた（あるいは切替が必要であること）を検出すると（ステップＳ２９３１：バックハウル切替検出）、切替処理部２６は、基地局処理部２５の処理モードとして、（１）フェムト基地局として動作するモード、および（２）リレーノードとして動作するモードのうち、いずれか一方のモードを選択して、基地局処理部２５に適用する（ステップＳ２９３３：処理モード変更）。
【０１８０】
続いて、切替処理部２６は、セルラ通信部（コア網）２２又はローカル通信部２１を介して、ベアラ修正要求メッセージを送信するよう基地局処理部２５に指示する。あるいは、切替処理部２６は、セルラ通信部（コア網）２２、ローカル通信部２１、又はセルラ通信部（ＵＥ）２３を介して、ベアラリリース指示を送信するように基地局処理部２５に指示する（ステップＳ２９３５：ベアラリリース指示（対象ＣＳＧ指定））。以後、基地局処理部２５が各通信部から受信するメッセージを処理するなど、移動端末１０ａ、１０ｃのベアラに対する更新処理やリリース処理に必要な動作を実施する（ステップＳ２９３７：後続する処理実施）。
【０１８１】
＜ＭＭＥの動作＞
次に本実施の形態におけるＵＥ−ＭＭＥ  ６０の動作について図３０を用いて説明する。図３０は、実施の形態４に係るＵＥ−ＭＭＥ  ６０の動作を説明するための図である。本実施の形態に係るＵＥ−ＭＭＥ  ６０の構成は、実施の形態２に係るＵＥ−ＭＭＥ  ６０の構成と同じであり、その詳細な説明を省略する。
【０１８２】
図３０に示す「ベアラリリース指示受信処理」では、まず、ＭＭＥ処理部６１は、通信部６３を介して、ベアラリリース指示メッセージに含まれる移動基地局２０を識別するための識別情報に基づき、移動基地局２０経由で、ＬＩＰＡコネクションを確立した移動端末１０ａ、１０ｃを抽出する（ステップＳ３００１：対象ＵＥ抽出（指定しているＣＳＧに接続しているＵＥ））。
【０１８３】
そして、ＭＭＥ処理部６１、通信部６３を介して、対象となるベアラのコンテキストをリリースした後にベアラ削除応答メッセージをＬＧＷ  ３０に送信し、ベアラリリース処理を完了する（ステップＳ３００３：ベアラ削除応答）。
【０１８４】
（実施の形態５）
実施の形態５に係る通信システムでは、移動基地局２０がバックハウル（Ｂａｃｋｈａｕｌ）の切替を検出した時に、ＣＳＧ  ＩＤや基地局ＩＤ、セルＩＤ、位置登録エリアＩＤなど移動基地局２０に関する情報を提供して、ＵＥ−ＭＭＥ  ６０が切替対象となる移動端末（ＵＥ）を検出し、移動端末（ＵＥ）のＬＩＰＡコネクションをＲＩＰＡコネクションに切り替える。そのため、本実施の形態に係る通信システムによれば、移動基地局の接続形態に応じて移動端末のローカルネットワークへの接続経路を直接接続かリモート接続のいずれかに切り替え、移動端末の最適な通信経路を確立させることができる。
【０１８５】
＜通信システムの構成＞
図３１は、実施の形態５に係る通信システム構成を示す図である。ここで、図３１に示す通信システムが、図１に示す通信システムと異なる点は、移動基地局２０が収容する移動端末１０ａ、１０ｃのうち、移動端末１０ａはアクティブモードＵＥであり、移動端末１０ｃは、アイドルモードＵＥである。この点以外は実施の形態１と同様であり、図３１において、図１と共通する構成要素には同じ参照符号が付されている。
【０１８６】
図３１では、移動基地局２０がローカルネットワーク１１０に直接接続している。また、移動端末１０ａ、１０ｃは、移動基地局２０とＬＧＷ  ３０を介してローカルネットワーク１１０にＬＩＰＡ接続される。ＵＥ−ＭＭＥ  ６０は、コアネットワーク１４０に接続され、移動端末１０ａ、１０ｃの状態及び移動管理を実施する。
【０１８７】
以後、本実施の形態において、便宜上、アクティブモードである移動端末１０ａを、アクティブモードＵＥ  １０ａと呼び、アイドルモードである移動端末１０ｃを、アイドルモードＵＥ  １０ｃと呼ぶ場合がある。
【０１８８】
図３２は、実施の形態５に係る通信システムの一状態を示す図であり、特に移動基地局２０がローカルネットワーク１１０から離脱して、マクロＲＡＮ  １３０のマクロｅＮＢ  ４０に接続した時の通信システムの一状態を示す。図３２に示す通信システムが、図２に示す通信システムと異なる点は、アクティブモードＵＥ  １０ａとアイドルモードＵＥ  １０ｃとが混在する点である。この点以外は実施の形態１と同様であり、図３２において、図２と共通する構成要素には同じ参照符号が付されている。
【０１８９】
＜システム動作＞
図３１、図３２に示す通信システムの動作について、図３３及び図３４を用いて説明する。図３３は、実施の形態５に係る移動端末１０ａ、１０ｃの接続シーケンス図である。
【０１９０】
図３３に示すように、移動端末１０ａ、１０ｃの接続に先立ち、移動基地局２０は、ローカルネットワーク１１０及びプロバイダネットワーク１２０を経由して、コアネットワーク１４０への接続性を確保する（ステップＳ３３０１：コアＮＷへの接続完了）。具体的には、移動基地局２０は、ＰＰＰｏＥなどのプロトコルを用いてコアネットワーク１４０へのセキュアコネクションを確立する。
【０１９１】
続いて、移動端末１０ａが接続処理を開始する。移動端末１０ａが接続要求を移動基地局２０に送信すると、移動基地局２０がその接続要求をＵＥ−ＭＭＥ  ６０に転送し、以後ＴＲ２３．８２９に開示される初期接続手順にもとづいて処理が行われ（ステップＳ３３０３〜Ｓ３３０５：接続処理）、移動端末１０ａとＬＧＷ  ３０との間にＬＩＰＡのための通信コネクション（例えば、ＰＤＮコネクションやＰＤＰコンテキスト）が確立される。移動端末１０ａと同様に、移動端末１０ｃは、移動端末１０ｃとＬＧＷ  ３０との間にＬＩＰＡのための通信コネクションを確立する（ステップＳ３３０６〜Ｓ３３０８：接続処理）。
【０１９２】
さらに、図３３に示す接続シーケンスでは、移動端末１０ｃがＬＩＰＡ用コネクションを確立後、アイドルモードに遷移することを想定する（ステップＳ３３１０：アイドルモードに遷移）。これにより、移動基地局２０の配下の移動端末１０ｃに関するベアラコンテキストが削除される。
【０１９３】
次に、図３４を参照し、移動基地局２０、及び移動端末１０ａ、１０ｃを含むローカルＲＡＮ  １００が移動して、マクロｅＮＢ  ４０に収容された時の、ローカルネットワーク接続の切り替えシーケンスについて説明する。図３４は、実施の形態５に係るローカルネットワーク接続の切り替えシーケンス図であり、特に移動基地局２０、及び移動端末１０ａ、１０ｃを含むローカルＲＡＮ  １００が移動して、マクロｅＮＢ  ４０に収容された時の、ローカルネットワーク接続の切り替えを示す。
【０１９４】
図３４は、ベアラリリースを指示する場合の方法を説明するシーケンス図である。移動基地局２０がバックハウル（Ｂａｃｋｈａｕｌ）の切り替えを検出する（ステップＳ３４０１：バックハウル切り替え）。移動基地局２０のバックハウル（Ｂａｃｋｈａｕｌ）は、ローカルネットワーク１１０に接続する場合はイーサネット（登録商標）等の有線ＬＡＮ、又は無線ＬＡＮを使用する。また、移動基地局２０は、マクロＲＡＮに接続する場合はセルラ回線を利用する。ここでは、移動基地局２０のバックハウル（Ｂａｃｋｈａｕｌ）が、例えば有線ＬＡＮからセルラ回線に切り替えられたことを検出する。
【０１９５】
なお、上記のように、移動基地局２０が、移動基地局２０のバックハウル（Ｂａｃｋｈａｕｌ）が実際に切り替えられたことを検出してもよい。また、移動基地局２０が、移動基地局２０のバックハウル（Ｂａｃｋｈａｕｌ）の切り替えを指示する信号を受信したことをもって、移動基地局２０のバックハウル（Ｂａｃｋｈａｕｌ）が切り替えられたと判断してもよい。移動基地局２０のバックハウル（Ｂａｃｋｈａｕｌ）の切り替えを指示する信号とは、例えば、ユーザが画面やボタンなどを介して入力する切り替え指示信号や、リモート入力される切り替え指示信号などが考えられる。その際、さらには、切り替え先のバックハウルメディア（Ｂａｃｋｈａｕｌ  Ｍｅｄｉａ）の接続性が確認された時点で、移動基地局２０が、移動基地局２０のバックハウル（Ｂａｃｋｈａｕｌ）が切り替えられたことを判断すれば、移動基地局２０は、誤検出を防いで的確にバックハウルメディア（Ｂａｃｋｈａｕｌ  Ｍｅｄｉａ）の切り替えることができる。
【０１９６】
セルラ回線へのバックハウル切り替えを検出すると、移動基地局２０は、マクロｅＮＢ  ４０を介してＲＮ−ＭＭＥ  ５０と接続処理を行い（ステップＳ３４０２、Ｓ３４０３：接続処理）、ＵＥトラフィックを収容するための通信コネクションを確立する（ステップＳ３４０４：コネクション確立）。通信コネクションを確立する詳細な動作は、例えば、ＴＲ３６．８０６に開示されるような手順を用いることができる。
【０１９７】
ステップＳ３４０４で、ＵＥトラフィックを収容するためのコネクションを確立すると、移動基地局２０は、配下の移動端末１０ａ、１０ｃが確立したＬＩＰＡコネクションをＲＩＰＡコネクションに切り替えるためのベアラ修正要求メッセージをＵＥ−ＭＭＥ  ６０に送信する（ステップＳ３４０５：ベアラ修正要求）。このときベアラ修正要求メッセージには、移動基地局２０を識別するための情報としてセルＩＤや基地局ＩＤ、ＣＳＧ  ＩＤ、位置登録エリアＩＤのいずれか（あるいは複数の組み合わせ）を含まれる。
【０１９８】
ベアラ修正要求メッセージを受信したＵＥ−ＭＭＥ  ６０は、移動基地局２０経由でＬＩＰＡコネクションを確立した移動端末１０ａ、１０ｃを抽出する。例えば、移動端末１０ａ、１０ｃがＬＩＰＡコネクションを確立する際に、移動端末１０ａ、１０ｃを収容する移動基地局２０のセルＩＤや基地局ＩＤ、ＣＳＧ  ＩＤ、位置登録エリアＩＤなどのいずれか（あるいは複数の組み合わせ）をＵＥ−ＭＭＥ  ６０が収集しておき、移動基地局２０から受信したベアラ修正要求メッセージに含まれる識別子と一致する移動基地局２０からＬＩＰＡコネクションを確立した移動端末１０ａ、１０ｃを抽出する。
【０１９９】
ここで、ＵＥ−ＭＭＥ  ６０が、移動端末１０ａ、１０ｃを収容する移動基地局２０のセルＩＤや基地局ＩＤ、ＣＳＧ  ＩＤ、位置登録エリアＩＤなどのいずれか（あるいは複数の組み合わせ）をＵＥ−ＭＭＥ６０が収集する方法として、例えば、移動端末１０ａ、１０ｃがＵＥ−ＭＭＥ  ６０に送信するメッセージに含めてもよいし、移動基地局２０がＵＥ−ＭＭＥ  ６０に送信するメッセージに含めてもよい。
【０２００】
また、移動基地局２０は、ベアラ修正要求メッセージの中で、対象としているベアラの接続先をＬＩＰＡ用のアクセスポイント名（ＡＰＮ）からＲＩＰＡ用のアクセスポイント名（ＡＰＮ）に切り替えることを指示する。これは例えば、ＲＩＰＡ用のアクセスポイント名（ＡＰＮ）をメッセージに付加してもよいし、さらには明示的にＡＰＮ切替を指示する情報（例えばフラグ）を付加してもよい。
【０２０１】
なお、移動基地局２０は、ベアラ修正要求メッセージをベアラ毎に発行してもよい。また、移動基地局２０は、ベアラ修正要求メッセージを移動端末毎に、又はＰＤＮコネクション／ＰＤＰコンテキスト毎に発行してもよい。さらには、移動基地局２０は、ベアラ修正要求メッセージを全ベアラに対して一括で発行してもよい、これにより移動基地局２０は、シグナリングトラフィックの低減を図ることができる。
【０２０２】
ベアラ修正要求を受信したＵＥ−ＭＭＥ  ６０は、ＲＩＰＡ用のアクセスポイント名（ＡＰＮ）に接続するためのＳＧＷ  ７０を選択して割り当て（ステップＳ３４０７：ＳＧＷ選択）、ＬＧＷ  ３０のコンタクトアドレスなどを付加したベアラ修正要求メッセージをＳＧＷ  ７０に送信する（ステップＳ３４０９：ベアラ修正要求）。
【０２０３】
メッセージを受信したＳＧＷ  ７０は、対象となる移動端末１０ａ、１０ｃのベアラコンテストを生成するとともに、ＬＧＷ  ３０にベアラ修正要求メッセージを転送すする。そして、ＬＧＷ  ３０が対象となる移動端末１０ａ、１０ｃのベアラコンテキストを修正し（例えばＳＧＷのコンタクトアドレスなど）、ベアラ修正応答メッセージをＳＧＷ  ７０に送信するなど、ベアラ修正処理を実施する（ステップＳ３４１１：ベアラ修正処理）。
【０２０４】
ＳＧＷ  ７０は、ベアラコンテキストの生成／更新を完了すると、ＳＧＷ７０はベアラ修正応答メッセージをＵＥ−ＭＭＥ  ６０に送信する（ステップＳ３４１３：ベアラ修正応答）。
【０２０５】
ＵＥ−ＭＭＥ  ６０は、対象となる移動端末ＵＥ１０ａ、１０ｃのコンテキストに記録されている状態からアクティブモード及びアイドルモードのうちいずれかのモードを検出する。そして、ＵＥ−ＭＭＥ  ６０は、アクティブモードである場合だけ、移動基地局２０へのベアラ修正応答メッセージを実施する（ステップＳ３４１５：ベアラ修正要求（ａｃｔｉｖｅ  ＵＥのみ））。すなわち、ＵＥ−ＭＭＥ  ６０は、アクティブモードＵＥ  １０ａのベアラに対するベアラ修正要求メッセージを移動基地局２０へ送信し、アイドルモードＵＥ  １０ｃのベアラに対するベアラ修正要求メッセージを移動基地局２０に送信しない。これにより、ＵＥ−ＭＭＥ  ６０は、移動端末１０ｃのアイドルモードを継続させることができ、移動端末１０ｃのバッテリ消費を低減させることができる。
【０２０６】
移動基地局２０は、受信したベアラ修正応答メッセージに基づいて、アクティブモードである移動端末１０ａの無線ベアラ（特にＱｏＳパラメータなど）を更新するベアラ修正処理を実施する（ステップＳ３４１７：ベアラ修正処理）。
【０２０７】
後に移動端末１０ｃがアイドルモードから復帰する際に実施するサービスリクエスト処理の中で、無線ベアラを含む通信コネクション全体の再構築（主にＱｏＳパラメータの再構築）を実施する（ステップＳ３４１９：サービスリクエスト処理、ステップＳ３４２１：ベアラ修正処理）。
【０２０８】
＜移動基地局の動作＞
次に本実施の形態における移動基地局２０の動作について図３５を用いて説明する。なお、本実施の形態に係る移動基地局２０の構成は、図６に示す実施の形態１に係る移動基地局２０の構成と同じであるため、その詳細は説明を省略する。
【０２０９】
ここで、本実施の形態に係る移動基地局２０の動作について、図３５（ａ）、（ｂ）を用いて説明する。図３５（ａ）は、実施の形態５に係る移動基地局２０の「ＵＥ接続処理」フロー図であり、図３５（ｂ）は、実施の形態５に係る移動基地局２０の「ベアラ切替処理」フロー図である。
【０２１０】
図３５（ａ）に示す「ＵＥ接続処理」において、基地局処理部２５がセルラ通信部（ＵＥ）２３を介して移動端末（ＵＥ）からの接続要求を受信すると（ステップＳ３５０１：接続要求受信）、基地局処理部２５が切替処理部２６にその旨を通知する。
【０２１１】
切替処理部２６は、基地局処理部２５から通知を受けた時に利用しているバックハウルメディア（Ｂａｃｋｈａｕｌ  Ｍｅｄｉａ）に基づいて、接続先を選択する（ステップＳ３５０３：接続先選択）。すなわち、バックハウルメディア（Ｂａｃｋｈａｕｌ  Ｍｅｄｉａ）がローカル通信部２１である場合、切替処理部２６はローカルＩＰアクセス（ＬＩＰＡ）を選択する。バックハウルメディア（Ｂａｃｋｈａｕｌ  Ｍｅｄｉａ）がセルラ通信部（コア網）２２である場合、切替処理部２６はローカルネットワークへのリモートアクセス（ＲＩＰＡ）を選択する。
【０２１２】
続いて、選択した接続先に相当するアクセスポイント名（ＡＰＮ）として、ＬＩＰＡ用のアクセスポイント名（ＡＰＮ）、又はＲＩＰＡ用のアクセスポイント名（ＡＰＮ））は、移動端末１０ａ、１０ｂの接続要求メッセージに付加され（あるいは接続要求メッセージに記載されたアクセスポイント名（ＡＰＮ）に上書きされ）、基地局処理部２５、及びバックハウルメディア（セルラ通信部（コア網）２２又はローカル通信部２１）を介して、ＵＥ−ＭＭＥ  ６０に転送される（ステップＳ３５０５：接続転送要求）。以後、基地局処理部２５が各通信部から受信するメッセージを処理するなど、移動端末（ＵＥ）の接続処理に必要な動作を実施する（ステップＳ３５０７：後続する接続処理実施）。
【０２１３】
図３５（ｂ）に示す「ベアラ切替処理」では、切替処理部２６は、バックハウルメディア（Ｂａｃｋｈａｕｌ  Ｍｅｄｉａ）の切替が行われた（あるいは切替が必要であること）を検出すると（ステップＳ３５３１：バックハウル切替検出）、切替処理部２６は、基地局処理部２５の処理モードとして、（１）フェムト基地局として動作するモード、および（２）リレーノードとして動作するモードのうち、いずれか一方のモードを選択して、基地局処理部２５に適用する（ステップＳ３５３３：処理モード変更）。
【０２１４】
続いて、切替処理部２６は、セルラ通信部（コア網）２２又はローカル通信部２１を介して、ベアラ修正要求メッセージを送信するよう基地局処理部２５に指示する。あるいは、切替処理部２６は、セルラ通信部（コア網）２２、ローカル通信部２１、又はセルラ通信部（ＵＥ）２３を介して、ベアラリリース指示を送信するように基地局処理部２５に指示する（ステップＳ３５３５：ベアラ修正要求指示）。以後、基地局処理部２５が各通信部から受信するメッセージを処理するなど、移動端末１０ａ、１０ｂのベアラに対する更新処理やリリース処理に必要な動作を実施する（ステップＳ３５３７：後続する処理実施）。
【０２１５】
＜ＭＭＥの動作＞
次に、本実施の形態におけるＵＥ−ＭＭＥ  ６０の構成は、図１７に示す実施の形態２に係るＵＥ−ＭＭＥ  ６０の構成と同じであるため、その詳細な説明を省略する。
【０２１６】
図３６を参照して、本実施の形態に係るＵＥ−ＭＭＥ  ６０の動作を説明する。図３６は、本実施の形態に係るＵＥ−ＭＭＥ  ６０の動作を説明するための図である。
【０２１７】
図３６に示す「ベアラリリース指示受信処理」では、ＭＭＥ処理部６１は、通信部６３を介して、移動基地局２０経由でＬＩＰＡコネクションが確立された移動端末１０ａ、１０ｃを抽出する。（ステップＳ３６０１：対象ＵＥ抽出）。
【０２１８】
ＭＭＥ処理部６１は、抽出された移動端末１０ａ、１０ｃがアイドルモードの移動端末であるかどうか判定する（ステップ３６０３：Ｉｄｌｅ  ＵＥ？）。抽出された移動端末１０ａ、１０ｃがアイドルモードの移動端末である場合（Ｙｅｓの場合）、ステップＳ３６０７へ遷移し、抽出された移動端末１０ａ、１０ｃがアイドルモードの移動端末でない場合、ステップＳ３６０５へ遷移する。
【０２１９】
抽出された移動端末１０ａ、１０ｃがアイドルモードの移動端末でない場合、ＭＭＥ処理部６１は、保持するＳ１ベアラ及びＳ５／Ｓ８ベアラのコンテキストを更新する（ステップＳ３６０５：Ｓ１ベアラ更新、およびステップＳ３６０７：Ｓ５／Ｓ８ベアラ更新）。
【０２２０】
抽出された移動端末１０ａ、１０ｃがアイドルモードの移動端末である場合、ＭＭＥ処理部６１は、保持するＳ５／Ｓ８ベアラのコンテキストを更新する（ステップＳ３６０７：Ｓ５／Ｓ８ベアラ更新）。すなわち、Ｓ１ベアラのコンテキスト更新は実施しない。
【０２２１】
ＭＭＥ処理部６１は、通信部６３を介して、アクティブモードＵＥ  １０ａの無線ベアラ（特にＱｏＳパラメータなど）を更新するために、アクティブモードＵＥ  １０ａのベアラに対するベアラ修正応答メッセージを移動基地局２０に送信する（ステップＳ３６０９：ベアラ修正応答送信）。
【０２２２】
なお、ステップＳ３６０３〜ステップＳ３６０７に示す各処理は、抽出されたすべての移動端末１０ａ、１０ｃに対して実施される。
【０２２３】
なお、上記各実施の形態において、ＬＩＰＡコネクションからＲＩＰＡコネクションに切り替える場合の動作について示したが、逆向きの切り替えにおいても同様の操作によって実施できるものである。
【０２２４】
また、上記各実施の形態において、移動端末（ＵＥ）が、マクロＰＤＮへのコネクションを確立あるいはハンドオーバする場合、移動基地局２０がバックハウル変更検出した時に、ベアラ修正処理（特にはＳ１ベアラの修正）を起動（実施）する。あるいは、移動端末（ＵＥ）またはＵＥ−ＭＭＥにベアラ修正処理の起動を指示する。これにより、ＳＧＷならびに必要に応じて移動基地局２０のＳ１ベアラコンテキストが更新される（移動基地局アドレス／ＴＥＩＤやＳＧＷアドレス／ＴＥＩＤなどが更新される）。
【０２２５】
また、上記各実施の形態では、特に３ＧＰＰ  ＳＡＥ（Ｓｙｓｔｅｍ  Ａｒｃｈｉｔｅｃｔｕｒｅ  Ｅｖｏｌｕｔｉｏｎ）システムの例をとりあげたが、従来のＵＭＴＳやＧＰＲＳ、また３ＧＰＰ２にて規定されるセルラ通信システムやＷｉＭＡＸシステムへの適用も、メッセージ名やパラメータなど若干の変更により可能である。ここで、上記各実施の形態において説明した動作については、本質的な変更を行うことなく、当業者であれば、他システムに適用することができる。
【０２２６】
ここで、３ＧＰＰ２やＷｉＭＡＸ、ＷＬＡＮなどの、いわゆる非ＧＰＲS系の公衆無線アクセスシステム、またＥｔｈｅｒｎｅｔ（登録商標）やダイヤルアップなどを介する公衆有線アクセスシステム（以下総称して、公衆アクセス、公衆システム、またＮｏｎ−３ＧＰＰアクセスシステムなどとよぶ）を含むシステムにおける動作について図３７から図４０を用いて説明する。
【０２２７】
図３７は、ＷｉＭＡＸ、ＷＬＡＮ、３ＧＰＰ２、Ｅｔｈｅｒｎｅｔ（登録商標）などの技術で構成される公衆アクセスシステム３７００を含む、通信システムの構成を示す図である。３ＧＰＰ  ＳＡＥ／ＬＴＥを対象とする通信システム、例えば図２に示すシステムとの主な違いは、公衆アクセスシステム３７００を有する点と、公衆アクセスシステム３７００経由でコアネットワーク１４０に接続するためのセキュリティゲートウェイ（ＳｅＧＷ）３８００がコアネットワーク１４０に配置される点である。なお説明の簡単上、マクロＲＡＮ１３０を構成図から省略したが、マクロＲＡＮ  １３０ならびにそれを収容するコアネットワーク１４０のエンティティ（例えばＲＮ−ＭＭＥ  ５０）をあわせて有するものであってもよい。
【０２２８】
図３８は、図３７に示した通信システムの動作を説明するための図である。移動基地局１０２０がバックハウル切替の検出において、接続可能な公衆アクセスを検出すると（該当する周波数の検出、報知チャネルを介した接続可能性の検知などにより実施）（ステップＳ５００１：バックハウル切替）、公衆アクセス経由でローカルネットワークへのリモートアクセスを実施するフェムト基地局として動作するモードを選択し、公衆アクセスへの接続処理を実施する（ステップＳ５００３：接続処理）。その後、コアネットワーク１４０に接続するためにセキュリティゲートウェイ（ＳｅＧＷ）３８００とセキュアコネクションを確立する（ステップＳ５００５：コネクション確立）。セキュアコネクションはＬ２トンネルやＩＰｓｅｃトンネルなどを利用することができる。これにより、移動基地局１０２０は配下の移動端末１０ａ、１０ｂのローカルネットワークへのＬＩＰＡコネクションをＲＩＰＡコネクションに切り替える準備を完了し、先の実施の形態にて説明したようにベアラリリース処理やベアラ修正処理などを発行することにより、ＬＩＰＡコネクションをＲＩＰＡコネクションに切り替える処理を実施する。
【０２２９】
図３９は、図３７に示した通信システムにおける移動基地局１０２０の構成を説明するための図であり、これまでに示した移動基地局の構成と異なる点は、公衆アクセス通信部１０２７を有する点である。なお説明の簡単上、マクロＲＡＮ  １３０に接続するためのセルラ通信部（コア網）２２を省略しているが、あわせて有するものであってもよい。
【０２３０】
図４０は、図３９に示した移動基地局１０２０のベアラ切替処理を説明するためのフローチャートである。ローカル通信部２１や公衆アクセス通信部１０２７からの情報にもとづいて、ＷｉＭＡＸ、ＷＬＡＮ、３ＧＰＰ２などの技術で構成される公衆アクセスシステムを検出すると（ステップＳ４００１：バックハウル切替検出）、切替処理部２６は、公衆アクセス経由でローカルネットワークへのリモートアクセスを実施するフェムト基地局として動作するモードを選択し、基地局処理部２５に適用する（ステップＳ４００３：処理モード変更）。基地局処理部２５は、公衆アクセスシステム３７００に接続し、ＳｅＧＷ３８００とのセキュリティコネクションを確立してコアネットワーク１４０への接続パスを構築する。
【０２３１】
このように、Ｎｏｎ  ３ＧＰＰアクセスである公衆アクセスシステム３７００を含む通信システムの移動基地局における処理モード変更では、接続先となるバックハウルの種別に応じて、次のいずれかのモードを選択して基地局処理部２５に適用する。
１）ローカルネットワークへのローカルアクセス（ＬＩＰＡ）を実施するフェムト基地局として動作するモード（ローカル通信部２１を介してローカルネットワーク１１０への接続が可能な場合）
２）ローカルネットワークへのリモートアクセス（ＲＩＰＡ）を実施するリレーノードとして動作するモード（セルラ通信部（コア網）２２を有し、かつマクロＲＡＮ  １３０への接続が可能な場合）
３）公衆アクセス経由でローカルネットワークへのリモートアクセス（ＲＩＰＡ）を実施するフェムト基地局として動作するモード（公衆アクセス通信部１０２７を介して公衆アクセスシステム３７００への接続が可能な場合）
【０２３２】
なお、公衆アクセスが特にＷＬＡＮやＥｔｈｅｒｎｅｔ（登録商標）などのローカルネットワークに接続する際に用いるのと同じ技術により構成される場合、その公衆アクセスからローカルネットワークに直接接続することができるかを検証してもよい。すなわち、これによって、ローカルネットワークへの接続をローカルアクセスにより実施することができ、リモートアクセスとする場合に比べてユーザトラフィックの通信効率向上ならびにネットワーク（特にコアネットワーク１４０）のトラフィック負荷を低減させることができる。
【０２３３】
公衆アクセスからローカルネットワークに直接接続することができるかの検証は、例えば次のような方法により実施する。すなわち、ローカルネットワーク構成するサブネットを記憶しておき、公衆アクセス経由で同じサブネットに接続したことや、ネットワーク接続後（ＳｅＧＷとのコネ確立前）にＬＧＷに対する疎通確認（例えばｐｉｎｇを用いた疎通確認）に成功したことや、接続先アクセスポイントやルータのアドレス（ＭＡＣアドレスやＩＰアドレスなど）をあらかじめ記憶あるいは動的に取得し、公衆アクセスにおいて接続したアクセスポイントやルータのアドレスと比較して同じであることが検出できた場合や、ローカルネットワークに接続する時に用いる識別子（ＳＳＩＤなど）をあらかじめ記憶しておいて、公衆アクセスに接続する時に用いた識別子と同じであることが検出できたような場合に、公衆アクセスからローカルネットワークに直接接続することができると判断する。
【０２３４】
ローカルネットワークに直接接続できると判断した場合、切替処理部２６は処理モード変更ステップにおいて、ローカルアクセス（ＬＩＰＡ）を実施するフェムト基地局として動作するモードを選択する。
なお、公衆アクセスからローカルネットワークに直接接続することができるかを検証するための移動基地局の構成において、公衆アクセス通信部１０２７をローカル通信部２１と統合してもよい。
【０２３５】
図４０における以降のステップＳ４００５（ベアラ修正要求  ｏｒ  ベアラリリース指示）、ステップＳ４００７（後続する処理実施）は、先に説明したのと同様に処理を実施する。
【０２３６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３７】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０２３８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３９】
本発明を詳細にまた特定の実施態様を参照して説明したが、本発明の精神と範囲を逸脱することなく様々な変更や修正を加えることができることは当業者にとって明らかである。
【０２４０】
本出願は、２０１０年９月９日出願の日本特許出願（特願２０１０−２０２５１５）、に基づくものであり、その内容はここに参照として取り込まれる。
【産業上の利用可能性】
【０２４１】
本発明に係る通信システム、通信方法、並びに移動端末及び移動基地局装置は、移動基地局の接続形態に応じて、移動端末のローカルネットワークへの接続経路を適切に確立させる、という効果を有し、通信方法、並びに移動端末及び移動基地局装置等として有用である。
【符号の説明】
【０２４２】
１０ａ、１０ｂ、１０ｃ  移動端末          
１１              無線通信部              
１２              通信処理部              
１３              アプリ部                
２０              移動基地局              
２１              ローカル通信部          
２２              セルラ通信部（コア網）  
２３              セルラ通信部（ＵＥ）    
２４              ＬＧＷ通信部            
２５              基地局処理部            
２６              切替処理部              
３０              ＬＧＷ                  
３１              切替処理部
３２              移動基地局通信部
３３              ＬＧＷ処理部
３４              ローカル通信部
４０              マクロｅＮＢ              
５０              ＲＮ−ＭＭＥ              
６０              ＵＥ−ＭＭＥ              
６１              ＭＭＥ処理部
６３              通信部
７０              ＳＧＷ                    
１００            ローカルＲＡＮ
１１０            ローカルネットワーク
１２０            プロバイダネットワーク
１３０            マクロＲＡＮ              
１４０            オペレータのコアネットワーク
【図１】
2012032783.tif 000003
【図２】
2012032783.tif 000004
【図３】
2012032783.tif 000005
【図４】
2012032783.tif 000006
【図５】
2012032783.tif 000007
【図６】
2012032783.tif 000008
【図７】
2012032783.tif 000009
【図８】
2012032783.tif 000010
【図９】
2012032783.tif 000011
【図１０】
2012032783.tif 000012
【図１１】
2012032783.tif 000013
【図１２】
2012032783.tif 000014
【図１３】
2012032783.tif 000015
【図１４】
2012032783.tif 000016
【図１５】
2012032783.tif 000017
【図１６】
2012032783.tif 000018
【図１７】
2012032783.tif 000019
【図１８】
2012032783.tif 000020
【図１９】
2012032783.tif 000021
【図２０】
2012032783.tif 000022
【図２１】
2012032783.tif 000023
【図２２】
2012032783.tif 000024
【図２３】
2012032783.tif 000025
【図２４】
2012032783.tif 000026
【図２５】
2012032783.tif 000027
【図２６】
2012032783.tif 000028
【図２７】
2012032783.tif 000029
【図２８】
2012032783.tif 000030
【図２９】
2012032783.tif 000031
【図３０】
2012032783.tif 000032
【図３１】
2012032783.tif 000033
【図３２】
2012032783.tif 000034
【図３３】
2012032783.tif 000035
【図３４】
2012032783.tif 000036
【図３５】
2012032783.tif 000037
【図３６】
2012032783.tif 000038
【図３７】
2012032783.tif 000039
【図３８】
2012032783.tif 000040
【図３９】
2012032783.tif 000041
【図４０】
2012032783.tif 000042
【国際調査報告】
2012032783.tif 000043
2012032783.tif 000044
2012032783.tif 000045
2012032783.tif 000046